(57)【要約】【課題】エラー発生時に筐体から取り除いた紙葉類に関連する処理の時期を特定する。【解決手段】紙葉類処理装置１００は、紙葉類に設けられた記番号を読み取るよう構成された識別部３と、識別部が読み取った記番号を記憶するよう構成された記憶部（データベース１２０２、上位装置１０００）と、取込口から取り込まれた紙葉類について、識別部が記番号を順次、読み取ると共に、紙葉類に関する所定の処理を行うよう構成された処理部（結束部９）と、処理部が行う処理を中止すべきエラーを検知する検知部（落下検知センサ９９）と、検知部がエラーを検知して処理を中止した後、ユーザが筐体から取り除いた紙葉類の記番号と、記憶部が記憶している記番号との照合を行うと共に、取り除いた紙葉類に関連する処理を行った時期を特定するよう構成された復旧部（制御部１２０）と、を備えている。【選択図】図１４
2015172793.tif 000002
【特許請求の範囲】
【請求項１】
紙葉類が一枚ずつ取り込まれる取込口が設けられた筐体と、
前記紙葉類に設けられた記番号を読み取るよう構成された識別部と、
前記識別部が読み取った記番号を記憶するよう構成された記憶部と、
前記取込口から取り込まれた紙葉類について、前記識別部が記番号を順次、読み取ると共に、前記紙葉類に関する所定の処理を行うよう構成された処理部と、
前記処理部が行う処理を中止すべきエラーを検知する検知部と、
前記検知部が前記エラーを検知して前記処理を中止した後、ユーザが前記筐体から取り除いた紙葉類の記番号と、前記記憶部が記憶している記番号との照合を行うと共に、前記取り除いた紙葉類に関連する処理を行った時期を特定するよう構成された復旧部と、を備えている紙葉類処理装置。
【請求項２】
紙葉類が一枚ずつ取り込まれる取込口が設けられた筐体と、
前記紙葉類に設けられた記番号を読み取るよう構成された識別部と、
前記識別部が読み取った記番号を記憶するよう構成された記憶部と、
所定枚数の前記紙葉類を集積しかつ、結束するよう構成された集積結束部と、
前記取込口から取り込まれた紙葉類について、前記識別部が記番号を順次、読み取った後、前記集積結束部が、前記紙葉類の束を作成する結束処理を行うよう構成された処理部と、
前記処理部が行う前記結束処理を中止すべきエラーを検知する検知部と、
前記検知部が前記エラーを検知して前記結束処理を中止した後、ユーザが前記筐体から取り除いた紙葉類の記番号と、前記記憶部が記憶している記番号との照合を行うことによって、前記取り除いた紙葉類に関連する前記束を特定するよう構成された復旧部と、を備えている紙葉類処理装置。
【請求項３】
前記復旧部は、前記取り除いた紙葉類の記番号を、前記識別部が読み取ることによって取得するよう構成されている請求項２に記載の紙葉類処理装置。
【請求項４】
前記復旧部は、前記ユーザに対して、前記取り除いた紙葉類を、前記取込口を通じて前記筐体内に取り込むよう促すと共に、前記ユーザのキャンセル操作に応じて、前記識別部による記番号の読み取りを中止するよう構成されている請求項３に記載の紙葉類処理装置。
【請求項５】
前記復旧部は、前記取り除いた紙葉類の記番号を、前記ユーザが手入力することによって取得するよう構成されている請求項３又は４に記載の紙葉類処理装置。
【請求項６】
前記復旧部は、前記識別部が記番号を読み取ることができなかった紙葉類について、前記ユーザに対し記番号の手入力を要求すると共に、要求された紙葉類の一部又は全部について、記番号の手入力をキャンセルする操作を受付可能に構成されている請求項５に記載の紙葉類処理装置。
【請求項７】
前記復旧部は、取得した記番号と、前記記憶部が記憶している記番号との照合を、所定のルールに従った曖昧照合により行うと共に、当該曖昧照合によって複数の記番号を抽出したときには、前記ユーザに対し、複数の記番号を選択可能に提示するよう構成されている請求項２〜６のいずれか１項に記載の紙葉類処理装置。
【請求項８】
前記集積結束部が作成した前記束には、当該束を特定可能な識別記号が付されている請求項２〜７のいずれか１項に記載の紙葉類処理装置。
【請求項９】
前記記憶部は、各紙葉類の記番号と、当該紙葉類が含まれる束の情報とを対応づけて記憶しており、
前記復旧部は、前記取り除いた紙葉類の記番号が含まれる束を特定するよう構成されている請求項２〜８のいずれか１項に記載の紙葉類処理装置。
【請求項１０】
前記処理部は、前記結束処理と共に、前記取込口から取り込まれた紙葉類の計数処理を行い、
前記復旧部は、前記取り除いた紙葉類を含む束を特定したときに、当該束について確定していた計数結果を未確定に変更すること、及び、確定のままで変更しないこと、を選択可能に、ユーザに提示するよう構成されている請求項９に記載の紙葉類処理装置。
【請求項１１】
前記復旧部は、前記取り除いた紙葉類の記番号が含まれる束を特定した後で、当該束と前記取り除いた紙葉類とからなる束を再度作成するときには、前記識別部が新たに読み取った紙葉類の記番号と、前記記憶部が記憶している、当該束に含まれる紙葉類の記番号とを照合するよう構成されている請求項９又は１０に記載の紙葉類処理装置。
【請求項１２】
前記検知部は、前記筐体内に設けた搬送経路から紙葉類が落下したことを検知するよう構成されている請求項２〜１１のいずれか１項に記載の紙葉類処理装置。
【請求項１３】
前記復旧部は、前記検知部が検知信号を出力した時に行っていた処理に係る取引をキャンセルするか、取引を継続するかを選択可能に、前記ユーザに提示するよう構成されている請求項１２に記載の紙葉類処理装置。
【請求項１４】
前記復旧部は、前記取り除いた紙葉類の記番号が、前記検知部が検知信号を出力した時に作成中であった束に含まれるか否かを判定すると共に、含まれるときには、前記筐体内で落下していた紙葉類は当該束に含まれると特定する一方、含まれないときには、前記検知信号を出力する以前に作成をした束の記憶データにさかのぼって照合するよう構成されている請求項１２又は１３に記載の紙葉類処理装置。
【請求項１５】
前記復旧部は、前記エラーを検知した当日に作成した束の記憶データまでさかのぼるよう構成されている請求項１４に記載の紙葉類処理装置。
【請求項１６】
前記復旧部は、前記エラーを検知した日前の所定日以降に作成した束の記憶データまでさかのぼるよう構成されている請求項１４に記載の紙葉類処理装置。
【請求項１７】
前記記憶部は、前記筐体の外に設けられたデータベースを含み、
前記復旧部は、前記データベースの記憶データを参照可能に構成されている請求項１４〜１６のいずれか１項に記載の紙葉類処理装置。
【発明の詳細な説明】
【技術分野】
【０００１】
ここに開示する技術は、紙葉類処理装置に関する。
【背景技術】
【０００２】
例えば特許文献１には、紙幣入出金機において、筐体内で紙幣を搬送する搬送路でジャムが発生し、装置を停止したときに、搬送路上に残された紙幣の位置と、その記番号とを表示部に表示することによって、ジャムからの復旧時に、オペレータが搬送路上の紙幣を取り忘れてしまうことを防止することが記載されている。
【０００３】
また、特許文献２には、入出金口から取り込んだ紙幣の記番号を読み取った後に、複数の収納部に振り分けて収納することで、各収納部に収納している紙幣の記番号を管理するよう構成された紙幣入出金機が記載されている。この紙幣入出金機はまた、ジャムが発生したときには、搬送路に残った紙幣の記番号を再度読み取ると共に、読み取った記番号と、収納部に収納している紙幣として管理している記番号とを照合することによって、複数の収納部のそれぞれにおいて収納されている紙幣の現物と、紙幣の管理情報とを一致させるようにしている。
【先行技術文献】
【特許文献】
【０００４】
【特許文献１】特開２０１２−１４１８６３号公報
【特許文献２】特開２０１３−１１４３７８号公報
【発明の概要】
【発明が解決しようとする課題】
【０００５】
ところで、前述した特許文献には、紙幣を搬送しているときのジャムをエラー対象として、そのときの処理について記載されている。ジャムが発生したことは、センサによって検知することが可能であり、ジャムの発生時期と、センサによってジャムを検知する時期とは、実質的に同じ時期である。そのため、ジャムが発生したときに、装置において処理をしている最中であった紙幣を特定することは容易である。
【０００６】
これに対し、筐体内において、紙幣を搬送する経路から、紙幣が落下すること等（ここでいう経路は、ローラ、ガイド、ベルト等によって紙幣を搬送する搬送路に限らず、例えば集積した紙幣を掴んで移動させるような構成も含む）は、例えば遮光式の検知センサによって検知することが可能であるが、紙幣が実際に落下した時には、センサの死角になって紙幣を検知することができず、その後、ふとしたはずみで、落下検知センサが落下した紙幣を検知する場合がある。紙幣が落下したときには、オペレータが、筐体を開けて、落下した紙幣を取り除くことになるが、前述の通り、センサが検知した時期と、紙幣が実際に落下した時期とは必ずしも一致しないため、当該紙幣が落下をした時期を、正確に特定することができないという問題がある。そのため、紙幣の落下を検知したときには、その落下を検知した当日に行った全ての処理をキャンセルして、もう一度、全て処理し直したり、または、それよりも以前に行った処理についてもキャンセルして、もう一度、処理し直したりする必要がある。これは、処理の効率化を著しく阻害する。
【０００７】
より具体的な例としては、取込口を通じて筐体内に取り込んだ紙幣を所定枚数、集積して、結束し、束にした上で、筐体外に投出するよう構成された処理装置では、集積した紙幣を搬送している途中等において、一部の紙幣が落下してしまう虞がある。落下検知センサが紙幣の落下を検知できなかったとすれば、処理が継続されるため、所定枚数に満たない束が作成されることになる。また、前述したように、落下検知センサが検知信号を出力することによって、処理を中止しても、センサの検知時点で紙幣が落下したのか、又は、それよりも以前に既に、紙幣は落下していたのかを判断することができない。落下検知センサが検知信号を出力したときに、筐体内に落下していた紙幣が含まれるべき束を特定することは、実質的に不可能である。
【０００８】
このように、エラーが実際に発生した時期と、エラーを検知した時期とがずれてしまう可能性があるときに、そのエラーに係る紙幣が、いつの処理に係る紙幣であるかを特定することができるような方策が望まれる。また、こうした問題は、紙幣を処理する紙幣処理装置に限らず、小切手や商品券等を含む紙葉類を処理する紙葉類処理装置においても同じである。
【０００９】
ここに開示する技術は、かかる点に鑑みてなされたものであり、その目的とするところは、エラー発生時に筐体から取り除いた紙葉類に関連する処理の時期を特定可能にすることにある。
【課題を解決するための手段】
【００１０】
ここに開示する技術は、紙葉類処理装置に係り、この紙葉類処理装置は、紙葉類が一枚ずつ取り込まれる取込口が設けられた筐体と、前記紙葉類に設けられた記番号を読み取るよう構成された識別部と、前記識別部が読み取った記番号を記憶するよう構成された記憶部と、前記取込口から取り込まれた紙葉類について、前記識別部が記番号を順次、読み取ると共に、前記紙葉類に関する所定の処理を行うよう構成された処理部と、前記処理部が行う処理を中止すべきエラーを検知する検知部と、前記検知部が前記エラーを検知して前記処理を中止した後、ユーザが前記筐体から取り除いた紙葉類の記番号と、前記記憶部が記憶している記番号との照合を行うと共に、前記取り除いた紙葉類に関連する処理を行った時期を特定するよう構成された復旧部と、を備えている。
【００１１】
この構成によると、検知部がエラーを検知して処理部による処理を中止した後、ユーザは、筐体から紙葉類を取り除く。筐体から取り除く紙葉類には、エラーの要因となった紙葉類が含まれる。尚、筐体から取り除く紙葉類は、エラー要因の紙葉類だけでなく、筐体内に設けた搬送経路に残った紙葉類、及び、筐体内の所定の集積部において集積されている紙葉類等が含まれる場合がある。「筐体内の所定の集積部」には、集積部に集積している紙葉類を取り出し可能な開口が筐体の外部に向かって開放していて、その集積している紙葉類を筐体の外部から直接に取り出し可能な構成の集積部も含まれる。
【００１２】
ユーザが筐体から紙葉類を取り除いた後、復旧部は、取り除いた紙葉類の記番号と、記憶部に記録している記番号との照合を行う。記憶部に記憶している記番号は、処理の最中に読み取った記番号である。このため、この照合によって、筐体から取り除いた紙葉類に対する処理を行った時期を特定することが可能になる。これは、エラーを検知した時期と、そのエラー要因が実際に発生した時期とがずれる可能性があるときに、エラー要因が関連する処理を正確に特定して、適切な復旧を可能にする。
【００１３】
ここに開示する紙葉類処理装置はまた、紙葉類が一枚ずつ取り込まれる取込口が設けられた筐体と、前記紙葉類に設けられた記番号を読み取るよう構成された識別部と、前記識別部が読み取った記番号を記憶するよう構成された記憶部と、所定枚数の前記紙葉類を集積しかつ、結束するよう構成された集積結束部と、前記取込口から取り込まれた紙葉類について、前記識別部が記番号を順次、読み取った後、前記集積結束部が、前記紙葉類の束を作成する結束処理を行うよう構成された処理部と、前記処理部が行う処理を中止すべきエラーを検知する検知部と、前記検知部が前記エラーを検知して前記処理を中止した後、ユーザが前記筐体から取り除いた紙葉類の記番号と、前記記憶部が記憶している記番号との照合を行うことによって、前記取り除いた紙葉類に関連する前記束を特定するよう構成された復旧部と、を備えている。
【００１４】
この構成によると、紙葉類処理装置は、取込口から取り込んだ紙葉類の一枚一枚について、記番号を読み取ると共に、所定枚数の紙葉類を含む束を、順次作成する結束処理を行う。読み取った記番号は、記憶部が記憶する。
【００１５】
そうして、検知部がエラーを検知して結束処理を中止したときに、復旧部は、ユーザが筐体から取り除いた紙葉類の記番号と、記憶部が記憶している記番号との照合を行う。これにより、取り除いた紙葉類に関連する束を特定することが可能になる。ここで、「取り除いた紙葉類に関連する束」には、既に結束が完了をしている束、及び、これから結束をしようとするときに検知部がエラーを検知することによって、結束は未完了であるものの、取り除いた紙葉類が関連する束の両方が含まれる。この構成も、前記構成と同様に、エラーを検知した時期と、そのエラー要因が実際に発生した時期とがずれる可能性があるときに、筐体から取り出した紙葉類（この紙葉類は、エラー要因となった紙葉類を含む）が関連する束を正確に特定することにより、適切な復旧が可能になる。
【００１６】
前記復旧部は、前記取り除いた紙葉類の記番号を、前記識別部が読み取ることによって取得するよう構成されている、としてもよい。
【００１７】
取り除いた紙葉類を、例えば取込口を通じて一枚ずつ取り込むと共に、識別部が各紙葉類の記番号を、再度読み取るようにしてもよい。紙葉類の記番号を、紙葉類処理装置が自動的に読み取ることが可能であるため、特に、取り除いた紙葉類の数が多いときに、ユーザの負担が軽減する。
【００１８】
前記復旧部は、前記ユーザに対して、前記取り除いた紙葉類を、前記取込口を通じて前記筐体内に取り込むよう促すと共に、前記ユーザのキャンセル操作に応じて、前記識別部による記番号の読み取りを中止するよう構成されている、としてもよい。
【００１９】
エラーを検知して処理を中止したときに、ユーザに対して、取り除いた紙葉類を、取込口を通じて筐体内に取り込むよう促すことにより、紙葉類の記番号を、紙葉類処理装置が自動的に読み取ることが可能になる。
【００２０】
一方で、例えば検知部の誤検知により、実際はエラーが生じていないにも拘わらず、処理を中止する場合が起こり得る。この場合、筐体から取り除く紙葉類が存在しないことが起こり得る。筐体から取り除く紙葉類が存在しないことで、識別部による記番号の再読み取りを行うことができないことになるが、復旧部を、ユーザのキャンセル操作に応じて、識別部による記番号の読み取りを中止するよう構成することで、エラーの復旧を、スムースに終了することが可能になる。
【００２１】
尚、ユーザのキャンセル操作は、前述のようにエラーの復旧を終了するために行うのではなく、後述するように、記番号をユーザが手入力するために、識別部による記番号の再読み取りをキャンセルするために行うとしてもよい。
【００２２】
前記復旧部は、前記取り除いた紙葉類の記番号を、前記ユーザが手入力することによって取得するよう構成されている、としてもよい。
【００２３】
こうすることで、ユーザは、筐体から取り除いた紙葉類を見ながら、記番号を入力することができ、識別部による記番号の読み取り精度が低くなりがちな紙葉類（例えば汚れ等のある紙葉類）についても、紙葉類処理装置の復旧部は、正確な記番号を取得することが可能になる。
【００２４】
前記復旧部は、前記識別部が記番号を読み取ることができなかった紙葉類について、前記ユーザに対し記番号の手入力を要求すると共に、要求された紙葉類の一部又は全部について、記番号の手入力をキャンセルする操作を受付可能に構成されている、としてもよい。
【００２５】
識別部が記番号を読み取ることができなかった紙葉類について、ユーザに対し記番号の手入力を要求することにより、紙葉類処理装置の復旧部は、正確な記番号を取得することが可能になる。その一方で、ユーザは、要求された紙葉類の一部又は全部について、記番号の手入力をキャンセルする操作が可能であるため、必要に応じて、記番号の手入力をキャンセルすることによって、エラーの復旧をスムースに完了することが可能になる。
【００２６】
前記復旧部は、取得した記番号と、前記記憶部が記憶している記番号との照合を、所定のルールに従った曖昧照合により行うと共に、当該曖昧照合によって複数の記番号を抽出したときには、前記ユーザに対し、複数の記番号を選択可能に提示するよう構成されている、としてもよい。
【００２７】
こうすることで、エラーを検出して処理を中止した後に、復旧部が、識別部による読み取り、又は、ユーザの手入力によって取得した記番号と、記憶部が記憶している記番号とを照合したときに、該当する紙葉類が抽出される確率が高まる。これは特に、エラーの検知前に識別部が記番号を読み取るとき（つまり、紙葉類処理装置の処理中に記番号を読み取るとき）の読み取り精度、及び／又は、エラーの検知後に識別部が記番号を読み取るときの読み取り精度が低いとき、またユーザが記番号を入力するときに誤入力があったときでも、筐体から取り出した紙葉類に関連する束を特定できる可能性を高める。
【００２８】
ここで、「ユーザに対し、複数の記番号を選択可能に提示する」は、例えば表示部に複数の記番号を表示すると共に、いずれかの記番号を選択する操作ボタン等を、その表示部に表示する、としてもよい。但し、そのような構成に限定されるものではない。
【００２９】
前記集積結束部が作成した前記束には、当該束を特定可能な識別記号が付されている、としてもよい。識別記号は、例えば紙葉類を結束するためのテープに印字してもよい。識別記号は、束を特定可能であればどのようなものであってもよい。例えば束を作成する毎に付す連続番号としてもよいし、束を作成した日時としてもよい（例えば２０１４年１月１日１２時ちょうど（００分００秒）であれば、２０１４０１０１１２００００）。また、連続番号と日時との組み合わせであってもよい。
【００３０】
前記記憶部は、各紙葉類の記番号と、当該紙葉類が含まれる束の情報とを対応づけて記憶しており、前記復旧部は、前記取り除いた紙葉類の記番号が含まれる束を特定するよう構成されている、としてもよい。
【００３１】
こうすることで復旧部は、取得した紙葉類（つまり、筐体から取り除いた紙葉類）の記番号と、記憶部に記憶している記番号とを照合することにより、その筐体から取り除いた紙葉類が含まれる束を特定することが可能になる。
【００３２】
前記処理部は、前記結束処理と共に、前記取込口から取り込まれた紙葉類の計数処理を行い、前記復旧部は、前記取り除いた紙葉類を含む束を特定したときに、当該束について確定していた計数結果を未確定に変更すること、及び、確定のままで変更しないこと、を選択可能に、ユーザに提示するよう構成されている、としてもよい。
【００３３】
筐体から取り除いた紙葉類を含む束を特定したときに、その束には、本来含まれるべき紙葉類が含まれていないため、当該束について確定していた計数結果と、束の現物とは一致しない。そのため、当該束について確定していた計数結果を未確定に変更する（これは、計数結果をキャンセルすることと等価である）ことにより、計数結果と、束の現物との不一致が解消される。また、場合によっては、確定していた計数結果を、確定のままで変更しないことを許容することで、エラーの復旧をスムースに完了することが可能になる。
【００３４】
尚、ここでいう「提示」も、前述したように、表示部に表示することによって提示する、としてもよいが、表示に限定されるものではない。
【００３５】
前記復旧部は、前記取り除いた紙葉類の記番号が含まれる束を特定した後で、当該束と前記取り除いた紙葉類とからなる束を再度作成するときには、前記識別部が新たに読み取った紙葉類の記番号と、前記記憶部が記憶している、当該束に含まれる紙葉類の記番号とを照合するよう構成されている、としてもよい。
【００３６】
取り除いた紙葉類の記番号が含まれる束を特定した後で、当該束と取り除いた紙葉類とからなる束を再度作成することによって、本来作成されるべきであった紙葉類の束を作成することが可能になる。
【００３７】
また、束を作成するときに、識別部が新たに読み取った紙葉類の記番号と、記憶部が記憶している、当該束に含まれる紙葉類の記番号とを照合することによって、束をもう一度作成するときに、当該束に含まれない紙葉類（例えば、取り除いた紙葉類ではない、別の紙葉類）が、誤って束に紛れ込んでしまうことを未然に回避することが可能になる。
【００３８】
前記検知部は、前記筐体内に設けた搬送経路から紙葉類が落下していることを検知するよう構成されている、としてもよい。
【００３９】
ここで、「紙葉類が落下していることを検知する」センサは、例えば透過光の遮光の有無を検出する遮光式の検知センサとしてもよい。こうした遮光式の検知センサを適宜配置することによって、紙葉類が落下したときには、当該紙葉類が透過光を遮光することにより、落下を検知することが可能になる。しかしながら、紙葉類が落下しても、遮光式の検知センサの死角になって、その落下した紙葉類が遮光をしないときには、落下を検知することができないという不都合がある。また、紙葉類が落下をして処理を中止した後に、落下した紙葉類を取り忘れ、しかも、その紙葉類が遮光式の検知センサの死角になったときも、紙葉類が落下していることを検知することができなくなる。
【００４０】
その一方で、ふとしたはずみで、落下していた紙葉類の位置や向きが変わって、透過光を遮光することにより、紙葉類の落下を検知することも起こり得る。つまり、紙葉類が落下していることを検知する遮光式の検知センサは、紙葉類が実際に落下した時点と、検知センサが検知をする時点とがずれる場合がある。そのため、前述したように、エラーを検知した後、筐体から取り除いた紙葉類の記番号に基づいて、当該紙葉類に関連する束を特定することによって、当該紙葉類を処理した時期を特定することが可能になり、エラー復旧を正確にかつ、速やかに完了することが可能になる。
【００４１】
前記復旧部は、前記検知部が検知信号を出力した時に行っていた処理に係る取引をキャンセルするか、取引を継続するかを選択可能に、前記ユーザに提示するよう構成されている、としてもよい。
【００４２】
検知部がエラーを検知して処理を中止したときには、当該処理は一旦キャンセルした上で、当該処理をもう一度最初からやり直すことが望ましい。一方で、前述したように、検知部の誤検知によって処理を中止したときには、当該処理を、もう一度最初からやり直す必要はない。
【００４３】
そこで、検知部がエラーを検知して処理を中止したときに、当該処理に係る取引をキャンセルするか、取引を継続するかを選択可能に、前記ユーザに提示することによって、ユーザの利便性が高まる。尚、ここでいう「提示」も、前述したように、表示部に表示することによって提示する、としてもよいが、表示に限定されるものではない。
【００４４】
前記復旧部は、前記取り除いた紙葉類の記番号が、前記検知部が検知信号を出力した時に作成中であった束に含まれるか否かを判定すると共に、含まれるときには、前記筐体内で落下していた紙葉類は当該束に含まれると特定する一方、含まれないときには、前記検知信号を出力する以前に作成をした束の記憶データにさかのぼって照合するよう構成されている、としてもよい。
【００４５】
前述したように、紙葉類の落下の検知は、落下した時期と、検知した時期とのずれが生じる可能性があるものの、落下したときに検知することの方が多い。従って、検知部が検知信号を出力して処理を中止したときに、筐体から取り除いた紙葉類は、その検知部が検知信号を出力した時に作成中であった束に含まれる可能性が最も高い。そこで、復旧部は、取り除いた紙葉類の記番号が、前記検知部が検知信号を出力した時に作成中であった束に含まれるか否かを判定する。そうして、含まれるときには、筐体内で落下していた紙葉類は当該束に含まれると特定する一方、含まれないときに、検知信号を出力する以前に作成をした束の記憶データにさかのぼって照合する。こうすることで、紙葉類が含まれる束を、速やかに特定することが可能になる。
【００４６】
前記復旧部は、前記エラーを検知した当日に作成した束の記憶データまでさかのぼるよう構成されている、としてもよい。
【００４７】
また、前記復旧部は、前記エラーを検知した日前の所定日以降に作成した束の記憶データまでさかのぼるよう構成されている、としてもよい。
【００４８】
前記記憶部は、前記筐体の外に設けられたデータベースを含み、前記復旧部は、前記データベースの記憶データを参照可能に構成されている、としてもよい。
【００４９】
紙葉類処理装置の外に設けたデータベースを利用することによって、記憶容量の制限が実質的になくなり、紙葉類が含まれる束を、確実に特定することが可能になる。
【発明の効果】
【００５０】
以上説明したように、前記の紙葉類処理装置によると、エラー発生時に筐体から取り除いた紙葉類に関連する処理の時期を特定することができる。
【図面の簡単な説明】
【００５１】
【図１】紙幣処理装置の外観図である。
【図２】紙幣処理装置の概略構成図である。
【図３】結束スタッカ及び結束部の概略構成図である。
【図４】テープ輪作成部の斜視図である。
【図５】テープ把持部の上部を斜め下方から見た斜視図である。
【図６】紙幣処理装置の概略構成を示すブロック図である。
【図７】第２搬送部が紙幣を結束スタッカから抜き出した状態の図である。
【図８】第２搬送部が紙幣をテープ輪の側方まで搬送した状態の図である。
【図９】テープ把持部がテープの先端部を把持した状態の図である。
【図１０】テープ把持部が小テープ輪及び大テープ輪を作成した状態の図である。
【図１１】紙幣の厚み方向を向いて見たときの、紙幣が大テープ輪へ搬送されて、紙幣にテープが巻き付けられるまでの各部の動作説明図であって、（Ａ）は、紙幣が大テープ輪へ搬送される直前の状態、（Ｂ）は、紙幣が大テープ輪へ搬送された状態、（Ｃ）は、紙幣にテープが巻き付けられた状態を示す。
【図１２】クランプ部が紙幣を押圧したときのガイド部の状態の図である。
【図１３】テープの接合、切断及び押印の説明図である。
【図１４】紙幣の落下を検知したときに行う復旧手順のフローチャートである。
【図１５】復旧時に表示される画面の一例である。
【図１６】復旧時に表示される画面の一例である。
【図１７】復旧時に表示される画面の一例である。
【図１８】復旧時に表示される画面の一例である。
【図１９】リジェクトが繰り返される例を説明する図である。
【図２０】リジェクト要因を記憶するリジェクト管理部の記憶内容の遷移を説明する図である。
【発明を実施するための形態】
【００５２】
以下、実施形態を図面に基づいて詳細に説明する。
【００５３】
〈紙幣処理装置の概略構成〉
図１は、紙幣処理装置１００の外観図を示し、図２は、紙幣処理装置１００の概略構成図を示す。
【００５４】
紙幣処理装置１００は、例えば銀行のテラーカウンタに設置され、オペレータによって使用される。紙幣処理装置１００は、バラ状態の紙幣を取り込み、所定の種類の紙幣を集積し、該紙幣を所定の結束枚数で結束して投出する。
【００５５】
紙幣処理装置１００は、紙幣が載置され、該紙幣を取り込むホッパ部２と、紙幣を識別する識別部３と、結束対象の紙幣を集積する結束スタッカ４と、結束対象でない紙幣を集積する非結束スタッカ５と、リジェクト紙幣を集積するリジェクトスタッカ６と、ホッパ部２から取り込まれた紙幣を、識別部３、結束スタッカ４、非結束スタッカ５及びリジェクトスタッカ６に搬送する第１搬送部７と、結束スタッカ４に集積された紙幣を所定の位置まで搬送する第２搬送部８と、第２搬送部８により搬送された紙幣を結束する結束部９と、結束された紙幣（以下、「結束紙幣」という）を搬送する第３搬送部１０と、結束紙幣を投出する投出部１１と、識別部３、結束スタッカ４、非結束スタッカ５、リジェクトスタッカ６、第１搬送部７、第２搬送部８、結束部９及び第３搬送部１０を収容する箱状の筐体１２とを備えている。
【００５６】
筐体１２は、上面１２１と、下面１２２と４つの側面とを有している。筐体１２は、卓上型である。つまり、筐体１２の下面１２２には、キャスタ等が設けられておらず、卓上に設置される構造となっている。
【００５７】
筐体１２の４つの側面のうちの１つの側面である第１側面１２３には、ホッパ部２及び投出部１１が設けられている。４つの側面のうちの１つの側面である第２側面１２４には、詳しくは後述する結束スタッカ４の第１取出口４７及び非結束スタッカ５の第２取出口５３が設けられている。第１側面１２３と第２側面１２４とは、隣接している。
【００５８】
筐体１２の内部は、紙幣の識別及び分類に関する処理を行う第１処理部１２６と、結束対象の紙幣の結束に関する処理を行う第２処理部１２７とに別れている。第２処理部１２７は、第１処理部１２６の上方に設けられている。第１処理部１２６には、ホッパ部２、識別部３、非結束スタッカ５及びリジェクトスタッカ６が含まれる。第２処理部１２７には、結束スタッカ４、第２搬送部８、結束部９及び第３搬送部１０が含まれる。第１搬送部７の大部分は、第１処理部１２６に含まれている。
【００５９】
結束スタッカ４は、第１結束スタッカ４Ａと第２結束スタッカ４Ｂとの２つのスタッカを含んでいる。第１結束スタッカ４Ａと第２結束スタッカ４Ｂはともに、結束対象の紙幣を集積する。結束対象の紙幣として集積する紙幣は、適宜設定することができる。結束対象の紙幣は、所定の種類の紙幣である。所定の種類は、金種、正券か損券か、紙幣の表裏、紙幣の向き、新券か旧券かなどによって特定される。ここでは、結束対象の紙幣は、所定の金種（例えば、１００元）であって且つ正券の紙幣である。ここで、識別部３によって正常な紙幣として識別された紙幣を「正常紙幣」と、識別部３で正常な紙幣として識別されなかった紙幣を「異常紙幣」と、斜行や重送等により搬送状態が異常な紙幣を「搬送異常紙幣」と称する。例えば、正常な紙幣か否かを判断する条件の１つとしては、記番号が識別可能であるか否かが挙げられる。ただし、それとは異なる条件をもって正常な紙幣か否かを判断してもよいし、それに別の条件を加えて正常な紙幣か否かを判断してもよい。また、正常紙幣であっても搬送先（結束スタッカ、非結束スタッカ等）が指定されていない種類の紙幣を「指定外紙幣」と称する。また、正常紙幣のうち、汚れや破れ等が比較的少ない状態の紙幣を「正券」と、正常紙幣のうち、汚れや破れ等が比較的多い状態の紙幣を「損券」と称する。結束スタッカ４は、集積部の一例である。
【００６０】
第１及び第２結束スタッカ４Ａ，４Ｂは、第２処理部１２７内において実質的に上下方向に並んで配置されている。第１結束スタッカ４Ａは、第２結束スタッカ４Ｂの上方に位置している。第１結束スタッカ４Ａと第２結束スタッカ４Ｂとは、同様の構成をしている。２つのスタッカを区別しないときには、単に「結束スタッカ４」と称する。結束スタッカ４の詳細な構成については後述する。
【００６１】
非結束スタッカ５は、第１及び第２非結束スタッカ５Ａ，５Ｂの２つのスタッカを含んでいる。第１及び第２非結束スタッカ５Ａ，５Ｂは、第１処理部１２６内において実質的に水平方向に並んで配置されている。第２非結束スタッカ５Ｂの方が第１非結束スタッカ５Ａよりもホッパ部２に近い位置に配置されている。２つのスタッカを区別しないときには、単に「非結束スタッカ５」と称する。非結束スタッカ５に集積する紙幣は適宜設定することができる。ここでは、第１非結束スタッカ５Ａは、前記所定の金種であって且つ損券を集積する。第２非結束スタッカ５Ｂは、前記所定の金種以外の金種の紙幣を集積する。
【００６２】
リジェクトスタッカ６は、リジェクト紙幣を集積する。リジェクトスタッカ６は、第１及び第２非結束スタッカ５Ａ，５Ｂよりもホッパ部２に近接している。リジェクトスタッカ６は、第１及び第２非結束スタッカ５Ａ，５Ｂよりも少し上方に位置している。リジェクトスタッカ６に集積する紙幣は適宜設定することができる。ここでは、リジェクトスタッカ６は、「指定外紙幣」、「異常紙幣」及び「搬送異常紙幣」をリジェクト紙幣として集積する。
【００６３】
ホッパ部２は、第１側面１２３のうち第１処理部１２６に対応する部分に設けられ、投出部１１は、第１側面１２３のうち第２処理部１２７に対応する部分に設けられている。
【００６４】
ホッパ部２は、紙幣が載置される載置台２１と、載置台２１上に載置された紙幣を案内する２つのガイド部２２，２２と、取込ローラ２３と、紙幣を取り込む取込口２４と、載置台２１上の紙幣を検知する紙幣センサ２５とを有している。本実施形態では、紙幣が短手方向に取り込まれていくように、紙幣がホッパ部２に載置される。
【００６５】
取込口２４は、図１に示すように、載置台２１と第１側面１２３とが交わる隅部に形成されている。載置台２１は、取込口２４に近づくに従って下方に位置するように傾斜している。これにより、載置台２１上の紙幣は、自然と取込口２４の方へ向かうようになっている。載置台２１上に載置された紙幣は、取込口２４から筐体１２内へ取り込まれる。
【００６６】
また、紙幣センサ２５は、取込口２４の近傍に設けられている。紙幣センサ２５は、光を送信する送信部と光を受信する受信部とを有し、送信部から出射されて受信部に到達する光が遮断されることによって紙幣を検知する。尚、後述する第１紙幣センサ４５、第２紙幣センサ４６、集積センサ５２、集積センサ６２、通過センサ７４、第１テープセンサ９２１０及び第２テープセンサ９２１１も同様の構成をしている。紙幣センサ２５は、載置台２１上に載置された紙幣により光が遮断されるように配置されている。つまり、紙幣センサ２５は、光が遮断されることによって、載置台２１上に紙幣が載置されていることを検知することができる。
【００６７】
ガイド部２２，２２は、その間隔を調整可能に構成されている。つまり、ガイド部２２，２２の間隔は、載置台２１上に載置された紙幣に合わせて調整される。
【００６８】
取込ローラ２３は、キッカローラ２３ａと、フィードローラ２３ｂと、ゲートローラ２３ｃとを有している。キッカローラ２３ａは、部分的に載置台２１から露出しており、載置台２１上の紙幣のうち一番下の紙幣と接触している。キッカローラ２３ａは、載置台２１上に載置された紙幣のうち一番下の紙幣を取込口２４へ送り込む。こうして、紙幣が１枚ずつ取込口２４から取り込まれていく。取込口２４から送り込まれた紙幣は、フィードローラ２３ｂとゲートローラ２３ｃとで１枚ずつに分離されて、筐体１２内へ取り込まれる。取り込まれた紙幣は、第１搬送部７へ送られる。
【００６９】
投出部１１は、結束紙幣が投出される投出口１１１を有している。投出部１１においては、投出口１１１を介して、結束紙幣が紙幣の短手方向に投出される。
【００７０】
第１搬送部７は、搬送ベルト等で構成されている。第１搬送部７は、主搬送路７１と、主搬送路７１から分岐する第１〜第４分岐路７２ａ〜７２ｄと、主搬送路７１からの分岐箇所に設けられた振り分け機構７３と、紙幣の通過を検知する複数の通過センサ７４とを有している。第１搬送部７は、紙幣をその短手方向に搬送していく。第１搬送部７は、搬送部の一例である。
【００７１】
主搬送路７１は、取込ローラ２３から第１結束スタッカ４Ａまで延びている。第１分岐路７２ａは、主搬送路７１の最も上流側に位置しており、第１分岐路７２ａから下流側に向かって、第２分岐路７２ｂ、第３分岐路７２ｃ、第４分岐路７２ｄがこの順で位置している。第１〜第４分岐路７２ａ〜７２ｄのそれぞれを区別しないときには、単に分岐路７２と称する。第１分岐路７２ａは、リジェクトスタッカ６まで延びている。第２分岐路７２ｂは、第２非結束スタッカ５Ｂまで延びている。第３分岐路７２ｃは、第１非結束スタッカ５Ａまで延びている。第４分岐路７２ｄは、第２結束スタッカ４Ｂまで延びている。
【００７２】
振り分け機構７３は、ソレノイド（図示省略）によって駆動される。振り分け機構７３は、主搬送路７１を搬送中の紙幣を分岐路７２へ分岐させるか否かを振り分ける。各振り分け機構７３の上流側には、通過センサ７４が設けられている。通過センサ７４は、紙幣センサ２５と同様の構成をしている。つまり、通過センサ７４の受信部における光の受信が中断され、その後に光の受信が再開されたことをもって、紙幣の通過を検知することができる。振り分け機構７３は、紙幣を分岐路７２へ導く際には、その直上流の通過センサ７４が紙幣の通過を検知したことをもって作動する。
【００７３】
識別部３は、主搬送路７１のうち第１分岐路７２ａよりも上流側に設けられている。識別部３は、搬送される紙幣の一枚一枚について、その金種、真偽及び正損を識別するように構成されている。識別部３は、詳細な図示は省略するが、紙幣処理装置１００内においてユニット化されており、この識別部３には、紙幣処理装置１００全体の制御を行う制御部１２０とは別の制御基板を有している。この制御基板には、紙幣の識別に必要な情報を含むと共に、識別部３が識別を行う際に参照する識別用テンプレート３３が含まれている（図６参照）。また、識別部３は、ラインセンサ３１及び磁気センサ３２を有し、紙幣の特徴を取得する。識別部３は、紙幣の特徴が、識別用テンプレート３３に含まれる各種紙幣の特徴と一致するかを判定し、金種、真偽、及び正損を識別する。
【００７４】
識別部３は、紙幣の特徴を取得するためのセンサであれば、ラインセンサ及び磁気センサに限られず、赤外線センサ及び紫外線センサ等のセンサを有していてもよい。ラインセンサ３１は、紙幣に印字されている記番号を光学的に読み取る機能も有している。識別部３は、ラインセンサ３１が読み取った記番号を認識する機能も有している。尚、識別部３とは別に、記番号認識部を設けてもよい。また、識別部３におけるセンサ以外の機能を、後で述べる制御部１２０が行ってもよい。
【００７５】
結束部９は、集積された紙幣を結束する。詳しくは後述するが、結束部９は、テープ輪Ｌを作成し、該テープ輪Ｌの中へ紙幣が搬送された後にテープを引き戻し、紙幣をテープで結束する。
【００７６】
第２搬送部８は、結束スタッカ４に集積された紙幣を把持して、該紙幣をテープ輪Ｌの中へ搬送する。第２搬送部８は、紙幣を把持する把持ユニット８１と、把持ユニット８１を水平方向であって且つ紙幣の短手方向（以下、「第１水平方向」という）へ移動させる第１水平移動機構と、把持ユニット８１を水平方向であって且つ紙幣の長手方向（以下、「第２水平方向」という）へ移動させる第２水平移動機構と、把持ユニット８１を上下方向へ移動させる上下移動機構とを有している。第２搬送部８は、紙葉類搬送部の一例である。
【００７７】
把持ユニット８１は、上アーム部８１ａと、上アーム部８１ａと相対向する下アーム部８１ｂと、上アーム部８１ａを上下方向へ移動させる把持機構とを有している。図１１等に示すように、上アーム部８１ａは、互いに平行に延びる３本の指部と、３本の指部を連結する連結部とを有している。同様に、下アーム部８１ｂは、互いに平行に延びる３本の指部と、３本の指部を連結する連結部とを有している。把持機構は、上アーム部８１ａを上下方向に移動可能に支持すると共に、モータ及び駆動ベルトによって上アーム部８１ａを上下に移動させる。これにより、上アーム部８１ａと下アーム部８１ｂとで紙幣を把持することができる。
【００７８】
第１水平移動機構は、把持ユニット８１を第１水平方向に移動可能に支持しており、モータ及び駆動ベルトによって把持ユニット８１を第１水平方向に移動させる。
【００７９】
上下移動機構は、第１水平移動機構を上下方向に移動可能に支持しており、モータ及び駆動ベルトによって第１水平移動機構を上下方向に移動させる。
【００８０】
第２水平移動機構は、上下移動機構を第２水平方向に移動可能に支持しており、モータ及び駆動ベルトによって上下移動機構を第２水平方向に移動させる。
【００８１】
このように、把持ユニット８１は、第１水平移動機構、第２水平移動機構及び上下移動機構によって直交する３軸に沿った方向に移動可能に構成されている。
【００８２】
第３搬送部１０は、結束紙幣を投出部１１まで搬送する。第３搬送部１０は、上把持部１０１と、下把持部１０２と、上把持部１０１及び下把持部１０２を第１水平方向へ移動させる水平移動機構とを有している。水平移動機構は、上把持部１０１を第１水平方向へ移動させる際に上把持部１０１を上下方向にも移動させる。詳しくは、第３搬送部１０は、結束部９の側方を第１水平方向へ通過するように構成されている。第３搬送部１０は、結束部９に対して投出部１１と反対側に位置するときには、上把持部１０１は下把持部１０２から上方へ十分に離間している。上把持部１０１は、この位置から結束部９の結束紙幣へ近づくにつれて下方へ移動し、結束紙幣に到達したときには上把持部１０１と下把持部１０２とで結束紙幣を把持した状態となる。上把持部１０１及び下把持部１０２は、結束紙幣を把持した状態で結束紙幣を投出部１１近傍まで搬送する。上把持部１０１は、投出部１１の近傍において、投出部１１へ近づくにつれて上方へ移動する。その結果、上把持部１０１と下把持部１０２とで把持された結束紙幣は、投出部１１において上把持部１０１及び下把持部１０２による把持が解除され、投出部１１へ投出される。
【００８３】
筐体１２の第２側面１２４には、図１に示すように、紙幣処理装置１００への情報を入力する操作部であり且つ紙幣処理装置１００の情報を表示する表示部であるタッチパネル１７が設けられている。タッチパネル１７は、紙幣処理装置１００を操作するオペレータに対するヒューマンインターフェース部分である。
【００８４】
〈結束スタッカ４の詳細構成〉
図３に、結束スタッカ４及び結束部９の概略構成図を示す。
【００８５】
結束スタッカ４は、紙幣Ｂを積み重ねて集積する。結束スタッカ４は、図１〜３に示すように、紙幣Ｂを集積する容器４０と、容器４０内に配置され、紙幣Ｂが載置されるステージ４１と、搬送されてきた紙幣Ｂを容器４０へ搬入する羽根車４２と、後述する第１取出口４７を開閉する扉４３と、容器４０の天井を規定する天板４４と、容器４０内の紙幣Ｂを検知する第１紙幣センサ４５と、容器４０内の所定高さの紙幣Ｂを検知する第２紙幣センサ４６とを有している。
【００８６】
容器４０は、紙幣Ｂの搬送方向における前側の前壁部４０ａが搬送方向において前後に移動可能に構成されている。前壁部４０ａの位置は、結束対象に設定された紙幣Ｂの短手方向寸法に応じて調整される。具体的には、容器４０内に搬入される紙幣Ｂが前壁部４０ａに当たって、そのまま容器４０の底に落下していき、最終的に紙幣Ｂが前壁部４０ａに当接した状態で集積される位置に前壁部４０ａが配置される。また、前壁部４０ａは、上下に開閉するように構成されている。前壁部４０ａは、集積された紙幣Ｂを第２搬送部８により搬送する際に開いた状態となる。
【００８７】
ステージ４１は、上下に移動可能に構成されている。例えば、ステージ４１は、紙幣Ｂの集積量に応じて上下に移動する。
【００８８】
容器４０は、筐体１２の第２側面１２４に開口している。つまり、第２側面１２４には、図１に示すように、結束スタッカ４に集積された紙幣Ｂを筐体１２の外部に取り出すための第１取出口４７が設けられている。
【００８９】
扉４３は、結束スタッカ４ごとに個別に設けられている。扉４３は、第１取出口４７を開放する開状態と第１取出口４７を閉鎖する閉状態との間で所定の回転軸回りに回動自在に構成され、手動で開閉される。扉４３は、外部から内部を目視可能な材料で構成されている。例えば、扉４３は、透明又は半透明な材料（例えば、ガラスや樹脂）で構成されている。
【００９０】
羽根車４２は、可撓性を有する複数の羽を有しており、容器４０内に落下する紙幣Ｂの、搬送方向後側の端部を叩いて、紙幣Ｂの落下を促進させる役割を有している。紙幣Ｂが容器４０内に連続的に搬入される場合であっても、後の紙幣Ｂが先の紙幣Ｂの後端部に入り込むことを防止し、紙幣Ｂを１枚ずつ順に上方に積み重ねていくことができる。
【００９１】
第１紙幣センサ４５は、１つの結束スタッカ４につき複数設けられている。本実施形態では、容器４０内において紙幣Ｂの搬送方向における異なる位置に２つの第１紙幣センサ４５，４５が設けられている。第１紙幣センサ４５は、紙幣センサ２５と同様の構成をしている。各第１紙幣センサ４５は、容器４０内の紙幣Ｂの集積方向に光を送信するように配置されている。つまり、第１紙幣センサ４５は、光が遮断されることによって、容器４０内に紙幣Ｂが存在することを検知することができる。また、搬送方向の異なる位置に２つの第１紙幣センサ４５，４５を設けることによって、容器４０内において搬送方向における紙幣Ｂの位置にばらつきがあったとしても、何れかの第１紙幣センサ４５により紙幣Ｂの存在を検知することができる。尚、第１紙幣センサ４５は、紙幣Ｂの搬送方向及び紙幣Ｂの厚み方向の両方に直交する方向（図２における紙面奥行き方向）における異なる位置に複数設けられていてもよい。
【００９２】
第２紙幣センサ４６は、容器４０内において所定の高さに位置する紙幣Ｂを検知するように構成されている。第２紙幣センサ４６は、紙幣センサ２５と同様の構成をしている。第２紙幣センサ４６は、前記所定の高さよりも高い位置に紙幣Ｂが存在するときには、送信部から受信部に向かう光が該紙幣Ｂにより遮断される一方、紙幣Ｂが前記所定の高さよりも高い位置に存在しないときには、送信部からの光が受信部に到達するように配置されている。
【００９３】
〈結束部９の詳細構成〉
結束部９は、図３に示すように、テープＴを供給するテープ供給部９１と、テープＴでテープ輪Ｌを作成するテープ輪作成部９２と、紙幣Ｂを前記テープＴで結束するときに該紙幣Ｂを集積方向に押圧するクランプ部９４と、テープＴを紙幣Ｂに巻き付けた状態でテープＴ同士を接合するヒータ９５と、テープＴを紙幣Ｂに巻き付けられていない位置で切断するカッタ９６と、テープＴに印刷する印刷部９７と、テープＴに押印する押印部９８と、を有している。
【００９４】
テープ供給部９１は、テープＴがリールに巻き付けられたテープリール９１１と、テープリール９１１から引き出されるテープＴを搬送するテープ搬送部９１２とを有している。テープ搬送部９１２は、テープＴを所定の搬送経路に沿って搬送する。テープ搬送部９１２は、ガイド（図示省略）と複数のローラ対とを有している。
【００９５】
テープ輪作成部９２は、テープＴでテープ輪Ｌを作成し、集積された紙幣Ｂが該テープ輪Ｌの中に配置された後に該テープＴを引き戻して該テープＴを該紙幣Ｂに巻き付ける。テープ輪作成部９２は、テープＴの送り出し及び引き戻しを行う送り出しローラ対９２０と、テープＴの先端部を把持するテープ把持部９２１と、テープＴでテープ輪Ｌを作成する際にテープ輪Ｌの形状を規定するガイド部９２５と、テープＴの先端を検知する第１テープセンサ９２１０と、大テープ輪Ｌ２が作成されたことを検知する第２テープセンサ９２１１とを有している。テープ輪作成部９２は、テープ把持部９２１によりテープＴで小テープ輪Ｌ１を作成した後、送り出しローラ対９２０によりテープＴを送り出すことによって該小テープ輪Ｌ１を大きくして大テープ輪Ｌ２を作成する。その際、ガイド部９２５は、テープＴを案内して、大テープ輪Ｌ２の形を規定し、第２テープセンサ９２１１は、大テープ輪Ｌ２の形成を検知する。
【００９６】
送り出しローラ対９２０は、テープ送りモータ９２１２（図６参照）により駆動され、テープ輪Ｌを作成する際にテープＴを送り出す。送り出しローラ対９２０は、テープ搬送部９１２の下流端部に位置し、テープ搬送部９１２の一部も構成する。送り出しローラ対９２０は、送り出し部の一例である。尚、テープ搬送部９１２のローラ対も、テープ送りモータ９２１２によりベルト及びギア等を介して駆動される。
【００９７】
また、テープリール９１１には、テープＴの巻き戻し方向にテープリール９１１を回転させるテープリールモータ９１１１（図６参照）が設けられており、紙幣Ｂがテープ輪Ｔの中へ配置された後に、テープＴを紙幣Ｂに巻き付ける際には、このテープリールモータ９１１１とテープ送りモータ９２１２とがテープＴを巻き戻す方向に回転する。テープ送りモータ９２１２及びテープリールモータ９１１１は共に、ステッピングモータにより構成されている。
【００９８】
第１テープセンサ９２１０は、テープＴの搬送路中であって、送り出しローラ対９２０とテープ把持部９２１との間に設けられている。第１テープセンサ９２１０は、紙幣センサ２５と同様の構成をしている。第１テープセンサ９２１０は、光が遮断されることによってテープＴを検知する。例えば、送り出しローラ対９２０がテープＴを引き戻し、第１テープセンサ９２１０において光が遮断された状態から光が受信される状態となったことをもってテープＴの先端を検知することができる。
【００９９】
テープ把持部９２１は、送り出しローラ対９２０から送り出されるテープＴを受け取ることが可能な位置に配置されている。テープ把持部９２１は、図９、１０に示すように、ベース部９２２と、可動部９２３との間にテープＴを把持可能に構成され且つ、テープＴを把持した状態で回転可能に構成されている。テープ把持部９２１は、送り出しローラ対９２０から送り出されたテープＴの先端部を把持した状態で回転することによってテープ輪Ｌを作成する。
【０１００】
ガイド部９２５は、大テープ輪Ｌ２を作成するときに、該大テープ輪Ｌ２の外周面に接触して該大テープ輪Ｌ２の形状を規定する。ガイド部９２５は、大テープ輪Ｌ２を略長方形状、詳しくは、角部が湾曲した長方形状に規定する。
【０１０１】
図４に、テープ輪作成部９２の斜視図を示す。ガイド部９２５は、大テープ輪Ｌ２の下側から大テープ輪Ｌ２の外周面に接触する下ガイド部９２６と、水平方向から大テープ輪Ｌ２の外周面に接触する第１側方ガイド部９２７及び第２側方ガイド部９２８と、長方形の４つの角部に対応する４つの第１〜第４コーナーガイド部９２９ａ〜９２９ｄとを有している。
【０１０２】
下ガイド部９２６は、テープＴの幅方向の位置を規制する一対の側壁９２６ａ，９２６ａと底壁９２６ｂ（図９、１０及び１２参照）とを有し、溝状に形成されている。底壁９２６ｂの幅は、テープ幅よりも広い。図１３に示すように、底壁９２６ｂには、テープＴの摺動性を向上させる複数のローラ９２６ｃ，９２６ｃ，…が設けられている。底壁９２６ｂには、後述する押印部９８のスタンプ９８１が貫通する貫通孔９２６ｄが設けられている。底壁９２６ｂの長手方向両端部には、第１コーナーガイド部９２９ａ及び第２コーナーガイド部９２９ｂが設けられている。第１コーナーガイド部９２９ａは、下ガイド部９２６と第１側方ガイド部９２７とで形成される角部に位置するテープＴを湾曲させる。第２コーナーガイド部９２９ｂは、下ガイド部９２６と第２側方ガイド部９２８とで形成される角部に位置するテープＴを湾曲させる。第１コーナーガイド部９２９ａ及び第２コーナーガイド部９２９ｂはそれぞれ、２枚の板で構成されている（図４も参照）。２枚の板はそれぞれ、凹状に湾曲する端縁を有し、互いに対向する状態で底壁９２６ｂに立設されている。
【０１０３】
下ガイド部９２６は、移動機構が設けられており、移動機構によって上下に移動可能に構成されている。この移動機構は、後述する下クランプ部９４３，９４４の移動機構と共通である。
【０１０４】
第１側方ガイド部９２７は、下ガイド部９２６の長手方向の結束スタッカ４側の端部において上下方向に延びている。第１側方ガイド部９２７は、側壁９２７ａと底壁９２７ｂとを有し、溝状に形成されている。側壁９２７ａは、テープＴの幅方向の位置を規制する。底壁９２７ｂの幅は、テープ幅よりも広い。底壁９２７ｂには、第１コーナーガイド部９２９ａが通過する２本のスリットが形成されている。
【０１０５】
第２側方ガイド部９２８は、下ガイド部９２６の長手方向の投出部１１側の端部において上下方向に延びている。第２側方ガイド部９２８は、略平板状に形成され、第１側方ガイド部９２７の側壁９２７ａに相当する部分が設けられていない。第２側方ガイド部９２８は、支持部によって上下に移動可能に支持されると共に、リンクを介して下ガイド部９２６に連結されている。これにより、第２側方ガイド部９２８は、下ガイド部９２６の上昇に連動して上昇し、下ガイド部９２６の下降に連動して下降する。尚、第２側方ガイド部９２８の移動量は、リンクにより増幅されている。第２側方ガイド部９２８は、結束紙幣Ｂを搬送するときに、該結束紙幣Ｂの搬送を阻害しないように上方へ退避するように構成されている。
【０１０６】
また、第１コーナーガイド部９２９ａ及び第２コーナーガイド部９２９ｂの上方であって、テープ把持部９２１と略同じ高さには、第３コーナーガイド部９２９ｃ及び第４コーナーガイド部９２９ｄが設けられている。第３コーナーガイド部９２９ｃは、第１側方ガイド部９２７に隣接して設けられている。第３コーナーガイド部９２９ｃは、詳細な図示は省略するが、２枚の板を有している。２枚の板は、凹状に湾曲する端縁を有し、互いに対向する状態で底壁９２７ｂに立設されている。第４コーナーガイド部９２９ｄは、第２側方ガイド部９２８に隣接して設けられている。第４コーナーガイド部９２９ｄは、凹状に湾曲した湾曲面を有するブロックで形成されている。以下、第１〜第４コーナーガイド部９２９ａ〜９２９ｄを特に区別しないときには、単にコーナーガイド部９２９と称する場合がある。
【０１０７】
第２テープセンサ９２１１は、紙幣センサ２５と同様の構成をし、光が遮断されることによってテープＴを検知する。第２テープセンサ９２１１の受信部は、図４に示すように、第４コーナーガイド部９２９ｄに取り付けられている。第２テープセンサ９２１１の送信部は、該送信部からの光が第４コーナーガイド部９２９ｄに案内されているテープＴによって遮断される位置に配置されている。つまり、第２テープセンサ９２１１は、送信部が光を送信しても受信部が光を受信しないことをもって、第４コーナーガイド部９２９ｄがテープＴを案内していること、即ち、テープ輪Ｌが所定の大きさになったことを検知する。
【０１０８】
クランプ部９４は、紙幣Ｂを前記テープＴで結束するときに該紙幣Ｂを集積方向に押圧する。クランプ部９４は、紙幣Ｂのうち、テープＴで結束される結束予定部分の近傍部分を押圧する。クランプ部９４は、図４，５に示すように、テープ輪Ｌの中へ搬送された紙幣Ｂの上方に設けられた一対の上クランプ部９４１，９４２と、該紙幣Ｂの下方に設けられた一対の下クランプ部９４３，９４４と、一方の上クランプ部９４２及び下クランプ部９４３，９４４を上下に移動させる移動機構とを有している。
【０１０９】
上クランプ部９４１，９４２は、テープ幅方向において、テープＴの両側に設けられている。第２搬送部８から遠い方の上クランプ部９４１は、固定されており、上下に移動不能である。一方、第２搬送部８に近い方の上クランプ部９４２は、上下に移動可能に構成されている。両者を区別する場合には、前者を固定上クランプ部９４１と称し、後者を可動上クランプ部９４２と称する。
【０１１０】
固定上クランプ部９４１は、第１及び第２当接部９４１ａ，９４１ｂを有している。第１及び第２当接部９４１ａ，９４１ｂは、紙幣Ｂの短手方向に並んでいる。第１当接部９４１ａと第２当接部９４１ｂとは、同じ高さに位置している。尚、第１当接部９４１ａと第２当接部９４１ｂとの間には、テープ把持部９２１のベース部９２２が配置されている。ベース部９２２は、第１及び第２当接部９４１ａ，９４１ｂよりも低い位置に位置している。
【０１１１】
一方、可動上クランプ部９４２は、第１〜第３当接部９４２ａ〜９４２ｃを有している。第１〜第３当接部９４２ａ〜９４２ｃは、紙幣Ｂの短手方向に並んでいる。第３当接部９４２ｃは、該短手方向において第１当接部９４２ａと第２当接部９４２ｂとの間に位置している。第１当接部９４２ａと第２当接部９４２ｂとは、同じ高さに位置している。第３当接部９４２ｃは、第１当接部９４２ａ及び第２当接部９４２ｂよりも低い位置に位置している。可動上クランプ部９４２は、第１当接部９４２ａ及び第２当接部９４２ｂが固定上クランプ部９４１の第１当接部９４１ａ及び第２当接部９４１ｂと同じ高さになるクランプ位置と、第３当接部９４２ｃが固定上クランプ部９４１の第１当接部９４１ａ及び第２当接部９４１ｂよりも高くなる退避位置との間で上下に移動する。尚、可動上クランプ部９４２がクランプ位置に位置するときには、第３当接部９４２ｃは、テープ把持部９２１のベース部９２２と略同じ高さに位置している。
【０１１２】
下クランプ部９４３，９４４は、テープ幅方向において、テープＴの両側に設けられている。第２搬送部８から遠い方の下クランプ部９４３と第２搬送部８に近い方の下クランプ部９４４とは、同じ構成をしている。下クランプ部９４３は、第１及び第２当接部９４３ａ，９４３ｂを有している。第１及び第２当接部９４３ａ，９４３ｂは、紙幣Ｂの短手方向に並んでいる。第１当接部９４３ａと第２当接部９４３ｂとは、同じ高さに位置している。第１及び第２当接部９４３ａ，９４３ｂはそれぞれ、固定上クランプ部９４１の第１及び第２当接部９４１ａ，９４１ｂと対向している。下クランプ部９４４は、第１及び第２当接部９４４ａ，９４４ｂを有している。第１及び第２当接部９４４ａ，９４４ｂは、紙幣Ｂの短手方向に並んでいる。第１当接部９４４ａと第２当接部９４４ｂとは、同じ高さに位置し且つ、下クランプ部９４３の第１当接部９４３ａと第２当接部９４３ｂとも同じ高さに位置している。第１及び第２当接部９４４ａ，９４４ｂはそれぞれ、可動上クランプ部９４２の第１及び第２当接部９４２ａ，９４２ｂと対向している。
【０１１３】
下クランプ部９４３，９４４は、上下に移動可能に構成されている。本実施形態では、下クランプ部９４３，９４４は、ガイド部９２５の下ガイド部９２６に取り付けられており、下ガイド部９２６と一体的に上下に移動する。つまり、下クランプ部９４３，９４４を上下に移動させる移動機構は、下ガイド部９２６の移動機構と共通である。
【０１１４】
ヒータ９５は、テープＴを紙幣Ｂに巻き付けた状態でテープＴ同士を接合する。ヒータ９５は、テープＴ同士を熱溶着する。ヒータ９５は、接合部の一例である。
【０１１５】
カッタ９６は、テープＴを紙幣Ｂに巻き付けられていない部分、即ち、テープＴのうち紙幣Ｂを結束して余った部分を切断する。カッタ９６の先端は、鋸歯状の切断刃が設けられている。カッタ９６は、図４に示すように、両側端縁において外方に突出するガイド片９６ａを有している。カッタ９６は、切断部の一例である。
【０１１６】
ヒータ９５及びカッタ９６は、ユニット化されて、テープ輪Ｌの中へ配置される紙幣Ｂに対して押印部９８とは反対側、具体的には、紙幣Ｂの集積方向において押印部９８とは反対側、即ち、テープ把持部９２１の上方に配置されている。
【０１１７】
より詳しくは、ヒータ９５及びカッタ９６は、第１及び第２テープ押え９９１，９９２と共にユニット化されている。第１及び第２テープ押え９９１，９９２は、第１水平方向に並んで配設されている。第１及び第２テープ押え９９１，９９２はそれぞれ、平板状の部材であり、下端面がテープ幅方向に延びている。ヒータ９５及びカッタ９６は、第１及び第２テープ押え９９１，９９２の間に配設されている。
【０１１８】
ヒータ９５、カッタ９６、第１テープ押え９９１及び第２テープ押さえ９９２は、上下方向に移動可能に構成されている。テープＴの接合及び切断時に、ヒータ９５、カッタ９６、第１テープ押え９９１及び第２テープ押さえ９９２は、テープ把持部９２１へ向かって下降する。図１３に示すように、第１テープ押え９９１は、ベース部９２２に設けられた第１凹溝９２２ｃに嵌まり、第１凹溝９２２ｃの底面との間でテープＴを挟持するように構成されている。第２テープ押え９９２は、可動部９２３との間でテープＴを挟持するように構成されている。ヒータ９５は、ベース部９２２に設けられた第１凹溝９２２ｃと第２凹溝９２２ｄとの間の部分でテープＴを接合する。カッタ９６は、ベース部９２２の第２凹溝９２２ｄ内に進入してテープＴを切断する。
【０１１９】
印刷部９７は、図３に示すように、テープ搬送部９１２に設けられている。印刷部９７は、テープ搬送部９１２により搬送されるテープＴに印字を行う印刷ヘッドを有している。印刷部９７は、例えば、結束される紙幣Ｂに関連する情報（例えば、金種、日時、連続番号等）をテープＴに印字する。テープＴに印字される情報は、結束された紙幣の束を特定する識別記号として用いることができる。印刷部９７の印字位置は、印字が押印部９８による押印と重ならないように、押印部９８による押印予定部分に対してテープ幅方向にずれている。
【０１２０】
押印部９８は、前記クランプ部９４で紙幣Ｂを圧縮し且つ該紙幣ＢにテープＴを巻き付けた状態で該テープＴに押印する。押印部９８は、例えば、結束される紙幣Ｂに関連する印（例えば、金融機関印、正券又は損券等の紙幣の種類を表す印等）をテープＴに押印する。押印部９８は、図４に示すように、テープ輪Ｌの中へ配置される紙幣Ｂに対してヒータ９５及びカッタ９６とは反対側、具体的には、紙幣Ｂの集積方向においてヒータ９５及びカッタ９６とは反対側に配置されている。押印部９８は、スタンプ９８１と、スタンプ９８１を上下方向に移動させる移動機構９８２とを有している。移動機構９８２がスタンプ９８１を上方へ移動させることによって、スタンプ９８１は、紙幣Ｂに巻き付けられたテープＴに紙幣Ｂの集積方向から押印する。押印部９８は、下ガイド部９２６と一体的に設けられており、下ガイド部９２６が上下方向に移動するときに下ガイド部９２６と一体的に上下方向に移動する。スタンプ９８１は、下ガイド部９２６の短手方向、即ち、テープＴの幅方向において、下ガイド部９２６の一対の側壁９２６ａ，９２６ａの間に配置されている。スタンプ９８１は、移動機構９８２によって、下ガイド部９２６の底壁９２６ｂの貫通孔９２６ｄの下方に配置された待避位置（図３の実線参照）と、底壁９２６ｂよりも上方へ突出した突出位置（図３の仮想線参照）とに切り換わる。下ガイド部９２６が上方に位置した状態で、スタンプ９８１は、移動機構９８２により上方へ移動させられることによって、貫通孔９２６ｄを貫通して、底壁９２６ｂよりも上方へ突出した状態となり、テープＴに押印する（図１３も参照）。
【０１２１】
スタンプ９８１は、紙幣処理装置１００の電源がオンでかつ、計数処理及び／又は結束処理を行っている最中は、待避位置に位置づけられる。これにより、ガイド部９２５がテープＴをガイドするときに、テープＴに押印してしまうことが回避される。一方、紙幣処理装置１００が、計数処理及び／又は結束処理を行っていないスタンバイ状態（特に、ガイド部９２５がテープＴをガイドしていない状態）にあるときには、スタンプ９８１を、待避位置に位置づけるようにしてもよいし、突出位置に位置づけるようにしてもよい。さらに、紙幣処理装置１００がスタンバイ状態にあるときに、スタンプ９８１を待避位置に位置づけるようにした場合、例えばタッチパネル１７を操作することによって、スタンプ９８１を突出位置に移動させたり、また、筐体１２を開けて内部を開放したときに、そのことを検知して、スタンプ９８１を突出位置に移動させたりしてもよい。スタンプ９８１を突出位置に位置させれば、筐体１２を開けて内部を開放したときに、スタンプ９８１を視認することが可能になる。これは、スタンプ９８１のメンテナンス性を高め、例えばスタンプ９８１にインクを補充したり、又は、スタンプ９８１を交換したりすることを容易に行うことができる。
【０１２２】
スタンプ９８１はまた、紙幣処理装置１００の電源がオフの状態では、押印部９８のメンテナンス性を考慮して、底壁９２６ｂよりも上方へ突出した突出位置に位置づけてもよい。
【０１２３】
結束部９の付近にはまた、紙幣の落下を検知する落下検知センサ９９が配設されている。結束部９の付近では、詳細は後述するが、紙幣の束を第２搬送部８の把持ユニット８１によって把持して搬送したり、その把持ユニット８１が、把持している紙幣の束を持ち替えたりする動作を行う。このため、結束部９の付近では、束又は束に含まれる一部の紙幣が落下してしまう可能性がある。落下検知センサ９９が紙幣の落下を検知したときに、紙幣処理装置１００の処理を停止するように構成されている。
【０１２４】
落下検知センサ９９は、紙幣センサ２５等と同様の構成をしており、落下した紙幣が光を遮断することによって、結束部９の付近で紙幣が落下したことを検出する。図２の例では、落下検知センサ９９として、それぞれ、送信部及び受信部からなる５組の落下検知センサ９９ａ〜９９ｅを含んでおり、各落下検知センサ９９ａ〜９９ｅは、光の送信方向が互いに異なるように、配設されている。これにより、落下検知センサ９９の死角をできるだけ無くすようにしている。
【０１２５】
〈紙幣処理装置のシステム構成〉
図６に、紙幣処理装置１００の概略構成を示すブロック図を示す。
【０１２６】
紙幣処理装置１００は、例えば周知のマイクロコンピュータをベースとした制御部１２０を備えている。制御部１２０は、各種の情報を記憶する記憶部１２０１を有している。制御部１２０には、前述したホッパ部２、識別部３、結束スタッカ４、非結束スタッカ５、リジェクトスタッカ６、第１搬送部７、第２搬送部８、結束部９、第３搬送部１０及びタッチパネル１７が、信号の送受信可能に接続されている。また、制御部１２０には、紙幣センサ２５、第１紙幣センサ４５、第２紙幣センサ４６、非結束スタッカ５の紙幣の有無を検知する集積センサ５２、リジェクトスタッカ６の紙幣の有無を検知する集積センサ６２、通過センサ７４、第１テープセンサ９２１０及び第２テープセンサ９２１１、落下検知センサ９９が接続され、それらの検出信号が入力されるように構成されている。制御部１２０は、タッチパネル１７からの入力信号及び各種センサからの検知信号等に基づいて制御信号を生成し、ホッパ部２等へ該制御信号を出力する。ホッパ部２等は、その制御信号に従って動作する。例えば、結束スタッカ４を例に挙げると、容器４０の前壁部４０ａ、ステージ４１及び羽根車４２が制御部１２０により制御される。
【０１２７】
制御部１２０には、データベース１２０２が接続されている。データベース１２０２は、当該紙幣処理装置１００に備えられかつ、入金処理（つまり、取引）に係る計数結果、及び、各紙幣について読み取った記番号の情報を少なくとも記憶する。記番号の情報は、その紙幣が含まれる束を特定する情報と対応づけて記憶される。束を特定する情報とは、前述したように、紙幣の束を結束するテープＴに印字される情報である。データベース１２０２は、この紙幣処理装置１００が過去に行った処理の情報も記憶するように構成されており、データベース１２０２は記憶部を構成する。尚、データベース１２０２の記憶容量に応じて、データベース１２０２が記憶をする範囲（例えば、過去半年分の取引内容を記憶する等）が決定される。また、紙幣処理装置１００は、通信部１２０３を介して、上位装置１０００に接続されるようになっており、上位装置１０００もまた、入金処理に係る計数結果、各紙幣について読み取った記番号の情報、及び、束の情報を記憶する。上位装置１０００は、紙幣処理装置１００のデータベース１２０２よりも記憶容量が大きく、より多くの情報（つまり、より遠い過去に処理をした情報）についても記憶することが可能である。上位装置１０００は、紙幣処理装置１００の筐体１２の外に設けられたデータベースに相当する。
【０１２８】
〈紙幣処理装置の動作説明〉
以下、紙幣処理装置１００の入金処理について説明する。入金処理においては、バラ状態の紙幣が分類され、所定のスタッカに集積され、さらには、所定の紙幣については結束される。以下では、結束対象の所定の一種類の正券紙幣を第１及び第２結束スタッカ４Ａ，４Ｂに所定枚数ずつ交互に集積し、該所定枚数集積した紙幣を順次、結束部９により結束する同一種類結束処理について説明する。
【０１２９】
紙幣処理装置１００は、テラーカウンタ上であって、オペレータがテラーカウンタを挟んで顧客と正対したときにオペレータの少し左側（顧客の右側）に設置される。このとき、紙幣処理装置１００は、筐体１２の第１側面１２３が顧客の方を向くように設置される。この状態においては、筐体１２の第２側面１２４は、オペレータの方を向いている。ただし、紙幣処理装置１００はオペレータの少し左側に位置するので、顧客も第２側面１２４を視認することができる。
【０１３０】
まず、オペレータは顧客から入金すべきバラ状態の紙幣を受け取り、該紙幣をホッパ部２へ載置する。このとき、バラ状態の紙幣に複数種類の紙幣が混在していたとしても、それらを分類することなく、ホッパ部２へ載置する。オペレータは、紙幣の寸法に合わせて、ガイド部２２を調整する。続いて、オペレータは、タッチパネル１７を操作して、紙幣の取込を開始する。尚、紙幣センサ２５がホッパ部２への紙幣の載置を検知すると、紙幣処理装置１００が自動的に紙幣の取込を開始するようにしてもよい。
【０１３１】
ホッパ部２に載置された紙幣は、取込ローラ２３が作動することにより１枚ずつ取込口２４から、筐体１２内へ取り込まれていく。取り込まれた紙幣は、第１搬送部７により搬送され、識別部３を通過する。識別部３は、通過する紙幣の紙幣種別を取得し、その紙幣種別を制御部１２０へ通知する。識別部３はまた、各紙幣の記番号を読み取って認識する。認識した記番号の情報は、データベース１２０２に記憶される。
【０１３２】
制御部１２０は、紙幣の種類に応じて、紙幣に対応する搬送先を決定する。具体的には、紙幣が結束対象の所定金種の紙幣であって且つ正券紙幣であるときには、制御部１２０は、搬送先を結束スタッカ４（４Ａ及び４Ｂの何れか一方）とする。紙幣が結束対象の所定金種の紙幣であって且つ損券紙幣であるときには、制御部１２０は、搬送先を第１非結束スタッカ５Ａとする。紙幣が所定金種以外の金種の紙幣であるときには、制御部１２０は、搬送先を第２非結束スタッカ５Ｂとする。紙幣がその他の紙幣であるときには、制御部１２０は、搬送先をリジェクトスタッカ６とする。
【０１３３】
制御部１２０は、紙幣が搬送先となるスタッカに搬送されるように第１搬送部７を制御する。具体的には、制御部１２０は、搬送先となるスタッカへ繋がる分岐路７２に対応する振り分け機構７３を該紙幣が主搬送路７１から該分岐路７２へ導かれるように制御する。制御部１２０は、該分岐路７２の直前の通過センサ７４が紙幣を検知したときに、該振り分け機構７３を切り替える。そうして、紙幣をスタッカ内に搬入する。
【０１３４】
結束スタッカ４に搬送される紙幣は、２つの結束スタッカ４のうち一方の結束スタッカ４へ搬送される。一方の結束スタッカ４に集積された紙幣の枚数が所定の結束枚数（例えば、１００枚）に達すると、それ以降の紙幣は、他方の結束スタッカ４へ搬送される。ここでは、紙幣がまず第１結束スタッカ４Ａへ搬送されるものとする。各第１結束スタッカ４Ａにおいては、紙幣が搬送されてくると、羽根車４２の回転によって、紙幣が１枚ずつ上方に重ねられていく。このとき、ステージ４１上の最も上の紙幣が第２紙幣センサ４６により検知されると、ステージ４１は、所定量だけ下降し、第２紙幣センサ４６が紙幣を検知していない状態となる。その後、紙幣がさらに積み重ねられ、第２紙幣センサ４６が紙幣を検知するようになると、再びステージ４１が所定量だけ下降する。この処理を繰り返すことにより、結束スタッカ４内に落下する紙幣の落下距離を一定の範囲に保つことができるので、自然落下する紙幣の落下位置及び落下したときの姿勢を一定にすることができる。
【０１３５】
第１結束スタッカ４Ａに集積された紙幣が結束枚数に達すると、制御部１２０は、第２搬送部８を制御し、把持ユニット８１により第１結束スタッカ４Ａ内の紙幣を把持し、該紙幣を結束部９へ搬送する。その後、制御部１２０は、結束部９を制御して、紙幣をテープＴで結束する。
【０１３６】
尚、第１結束スタッカ４Ａに集積された紙幣が結束枚数に達すると、それ以降の紙幣は第２結束スタッカ４Ｂに集積される。その後、第２結束スタッカ４Ｂに集積された紙幣が結束枚数に達したときには、それ以降の紙幣は再び第１結束スタッカ４Ａに集積されるようになる。このときまでには、第１結束スタッカ４Ａ内の紙幣の搬出が完了しているので、第１結束スタッカ４Ａ内は空の状態になっている。このように、２つの結束スタッカ４を設けることによって、紙幣の集積を連続して行いつつ、結束処理を行うことができる。
【０１３７】
続いて、制御部１２０は、第３搬送部１０を制御して、結束紙幣を投出口１１１から投出する。
【０１３８】
所定金種の紙幣であって且つ損券紙幣は、第１非結束スタッカ５Ａへ搬送され、第１非結束スタッカ５Ａに集積される。同様に、所定金種以外の金種の紙幣は、第２非結束スタッカ５Ｂへ搬送され、第２非結束スタッカ５Ｂに集積される。リジェクト紙幣も、リジェクトスタッカ６へ搬送され、リジェクトスタッカ６に集積される。
【０１３９】
以上の処理が、ホッパ部２に載置された紙幣が無くなるまで続けられる。ホッパ部２の紙幣の有無は、紙幣センサ２５によって検知される。
【０１４０】
ホッパ部２に載置された紙幣の処理が完了すると、リジェクト紙幣の取込及び識別を再度行う。つまり、オペレータは、リジェクト紙幣をリジェクトスタッカ６から抜き出して、ホッパ部２へ載置し、再び取込を行う。リジェクト紙幣は、何らかの理由で正常な紙幣として識別されなかった紙幣であるので、再び取込及び識別を試みる。それでも尚、リジェクト紙幣として識別される紙幣は、再びリジェクトスタッカ６に集積される。オペレータは、再び集積された紙幣を顧客に返却する。
【０１４１】
尚、第１及び第２非結束スタッカ５Ａ，５Ｂに集積された紙幣については、再度の取込を行わない。
【０１４２】
こうして、ホッパ部２に載置された紙幣の処理とリジェクト紙幣の再処理が完了すると、同一種類結束処理が完了し、顧客から渡された入金すべき紙幣の計数及び分別が終了する。タッチパネル１７には、計数された金額が表示される。オペレータは、顧客からその金額の承認を得るか、又は、その金額と顧客が記載した入金伝票に記載された金額との一致を確認すると、タッチパネル１７により入金額の確定操作を行う。確定操作が行われると、取引が完了することになり、確定した入金額が上位装置１０００へ通知され、入金処理が完了する。上位装置１０００は、入金額の他にも、上述したように、当該紙幣処理装置１００において結束処理等をした各紙幣の記番号の情報を、当該紙幣が含まれる束の情報と関連づけて記憶する。同様に、紙幣処理装置１００のデータベース１２０２も、結束処理等をした各紙幣の記番号の情報を、当該紙幣が含まれる束の情報と関連づけて記憶する。ここで、処理の最中にデータベース１２０２に記憶される情報は、仮確定状態であり、取引の完了時に、記憶されている情報が、仮確定から確定に変更される。
【０１４３】
入金処理の完了後は、オペレータは、投出部１１に投出されている結束紙幣、結束スタッカ４に集積されている紙幣及び非結束スタッカ５に集積されている紙幣を取り出して所定の収納場所に収納する。
【０１４４】
以上の処理により、複数種類の紙幣が混在し且つバラ状態であった紙幣は、所定金種の正券紙幣と、所定金種の損券紙幣と、所定金種以外の金種の紙幣と、リジェクト紙幣とに分類され、所定金種の正券紙幣については結束枚数ごとに結束された状態となる。
【０１４５】
〈スタッカの残置運用及びバッチ設定〉
ここで、前記の例では、入金処理の完了後に、結束スタッカ４及び非結束スタッカ５に集積されている紙幣をオペレータが取り出すようにしている。つまり、１つの取引毎に、取り扱った紙幣を区別する運用としているが、これとは異なり、例えば複数の取引にまたがって、所定の結束枚数まで紙幣を集積し、結束を行うような運用も考えられる。
【０１４６】
この紙幣処理装置１００は、取引の完了時に、結束スタッカ４及び非結束スタッカ５に集積されている紙幣を取り出すような運用と、取引の完了時に、結束スタッカ４及び非結束スタッカ５に集積されている紙幣を取り出さずに、次回以降の取引において、紙幣の集積をそのまま継続する運用（つまり、残置運用）とを切り換え可能に構成されている。こうした残置運用は、結束スタッカ４のみで行う、非結束スタッカ５のみで行う、及び、結束スタッカ４及び非結束スタッカ５の双方で行うことが可能に構成され、その運用設定は、タッチパネル１７による操作で行う。
【０１４７】
また、この紙幣処理装置１００では、結束スタッカ４及び／又は非結束スタッカ５において集積する枚数を、予め設定した枚数（例えば１００枚）に制限するバッチ設定が可能に構成されている。バッチ設定は、結束スタッカ４のみで行う、非結束スタッカ５のみで行う、及び、結束スタッカ４及び非結束スタッカ５の双方で行う、ことが可能である。結束スタッカ４においてバッチ設定を行うときには、設定した枚数の紙幣が、結束スタッカ４に集積されたときに、その集積した紙幣を結束部９において結束するか、又は、紙幣処理装置１００の動作を一時的に停止して、オペレータが、第１取出口４７を通じて、集積した紙幣を取り出すことが可能である。また、非結束スタッカ５においてバッチ設定を行うときには、設定した枚数の紙幣が、非結束スタッカ５に集積されたときに、紙幣処理装置１００の動作を一時的に停止して、オペレータが、第２取出口５３を通じて、集積した紙幣を取り出すことが可能である。バッチ設定を行わないときには、結束スタッカ４及び／又は非結束スタッカ５には、それらのスタッカ容量（つまり、最大容量）に到達するまで紙幣が集積され、スタッカ容量に到達した時点で、紙幣処理装置１００の動作が一時的に停止するか、又は、結束部９において紙幣の結束が行われる。バッチ設定もまた、タッチパネル１７による操作で行う。
【０１４８】
前述した残置運用、及び、バッチ設定は、それぞれ独立して設定が可能である。残置運用については、「結束スタッカ４のみ残置運用する」、「非結束スタッカ５のみ残置運用する」、「結束スタッカ４及び非結束スタッカ５の双方で残置運用する」及び「結束スタッカ４及び非結束スタッカ５のいずれも残置運用しない」の４通りが可能であり、バッチ設定については、「結束スタッカ４のみバッチ設定する」、「非結束スタッカ５のみバッチ設定する」、「結束スタッカ４及び非結束スタッカ５の双方でバッチ設定する」及び「結束スタッカ４及び非結束スタッカ５のいずれもバッチ設定しない」の４通りが可能である。従って、残置運用及びバッチ設定に関しては、４×４＝１６通りの運用設定が可能である。例えば、結束スタッカ４のみ残置運用がありかつ、結束スタッカ４及び非結束スタッカ５の双方でバッチ設定する場合は、結束スタッカ４については、１つの取引中に所定枚数に到達した時点、又は複数の取引にまたがって紙幣を集積して所定枚数に到達した時点で、紙幣処理装置１００が停止、又は、結束が行われる一方、非結束スタッカ５については、１つの取引中に所定枚数に到達したときのみ、紙幣処理装置１００が停止することになる。
【０１４９】
また例えば、結束スタッカ４及び非結束スタッカ５の双方で残置運用がありかつ、結束スタッカ４のみでバッチ設定する場合は、結束スタッカ４については、１つの取引中に所定枚数に到達した時点、又は複数の取引にまたがって紙幣を集積して所定枚数に到達した時点で、紙幣処理装置１００が停止、又は、結束が行われる一方、非結束スタッカ５については、１つの取引中にスタッカ容量に到達した時点、又は複数の取引にまたがって紙幣を集積してスタッカ容量に到達した時点で、紙幣処理装置１００が停止することになる。
【０１５０】
このような残置運用及びバッチ設定の組み合わせを可能にすることで、紙幣処理装置１００の利便性が高まる。
【０１５１】
紙幣処理装置１００はまた、図１に示すように、非結束スタッカ５の第２取出口５３には、結束スタッカ４の第１取出口４７とは異なり、扉４３が設けられておらず、処理の最中にオペレータは、非結束スタッカ５に集積している紙幣に触れることが可能である。そのため、前述したバッチ設定時には所定枚数に、また、バッチ設定を行っていないときにはスタッカ容量に到達する前に、オペレータが、誤って紙幣を非結束スタッカ５から抜き出してしまうことも起こり得る。
【０１５２】
この紙幣処理装置１００では、前述したように、非結束スタッカ５には、紙幣の有無を検知する集積センサ５２が設けられており、制御部１２０は、処理の最中であって、バッチ設定時の所定枚数に到達する前、及び、バッチ設定なしの時のスタッカ容量に到達する前に、集積していた紙幣が、非結束スタッカ５から抜き取られたことを、集積センサ５２によって検知したときには、処理を中止すると共に、タッチパネル１７及び／又は上位装置１０００に、抜き取った紙幣を元の非結束スタッカ５に戻すことをオペレータに促すメッセージを表示する。メッセージの表示と共に、警告音を発するようにしてもよい。尚、前述したように、残置運用が設定されているときには、取引が終了した後に非結束スタッカ５から紙幣を抜き取ったときにも、オペレータに対して警告を行うようにすればよい。この場合は、紙幣処理装置１００の処理が中止することにはならない。
【０１５３】
こうして、紙幣処理装置１００の処理を中止することによって、オペレータは、誤って紙幣を抜き取ったことに気づき、非結束スタッカ５に紙幣を戻すことになる。非結束スタッカ５に紙幣を戻したことは、集積センサ５２によって検知可能であるため、制御部１２０は、集積センサ５２の検知結果を受けて、自動的に、処理を再開してもよい。また、集積センサ５２の検知結果に加えて、オペレータがタッチパネル１７等で、処理を再開する操作を行ったときに、制御部１２０は処理を再開するようにしてもよい。
【０１５４】
尚、オペレータが、何らかの理由により意図的に紙幣を抜き取ることを考慮して、タッチパネル１７等に、抜き取った紙幣を元の非結束スタッカ５に戻すことを促すメッセージを表示すると共に、紙幣を戻さずに、処理を再開可能とする操作ボタンを、タッチパネル１７等に表示するようにしてもよい。こうすることで、オペレータは、紙幣を戻して処理を継続するか、紙幣を戻さずに処理を継続するか、を選択することが可能になる。
【０１５５】
〈集積後の処理の詳細説明〉
以下に、紙幣が結束スタッカ４に集積されてから投出部１１へ投出されるまでの処理を詳細に説明する。
【０１５６】
−集積部から結束部までの紙幣の搬送−
結束スタッカ４において紙幣Ｂの集積が完了すると、第２搬送部８は、紙幣Ｂを結束スタッカ４から結束部９へ搬送する。図７に、第２搬送部８が紙幣Ｂを結束スタッカ４から抜き出した状態の図を示す。図８に、第２搬送部８が紙幣Ｂをテープ輪Ｌの側方まで搬送した状態の図を示す。
【０１５７】
詳しくは、紙幣Ｂの集積が完了すると、第２搬送部８は、紙幣Ｂの集積が完了した結束スタッカ４まで移動し、結束スタッカ４内の紙幣Ｂを把持し、図７に示すように結束スタッカ４から抜き出す。ここでは、第１結束スタッカ４Ａにおいて紙幣Ｂの集積が完了したとする。そして、第２搬送部８の把持ユニット８１は、第１結束スタッカ４Ａ内の紙幣Ｂを把持する。第２搬送部８は、把持した紙幣Ｂを第１水平方向へ第１結束スタッカ４Ａから抜き出す。このとき、第２搬送部８は、紙幣Ｂを所定の第１位置（図７に示す位置）まで第１水平方向へ移動させる。この第１位置は、後述する紙幣Ｂを大テープ輪Ｌ２の中へ搬送する際の第１水平方向についての位置と一致している。
【０１５８】
続いて、第２搬送部８は、図８に示すように、紙幣Ｂを所定の第２位置まで上下方向へ移動させる。この第２位置は、紙幣Ｂを大テープ輪Ｌ２の中へ搬送する位置である。第２位置においては、紙幣Ｂの長手方向を向いて見たときに、紙幣Ｂは大テープ輪Ｌ２の中央付近に位置している。
【０１５９】
−テープ輪の作成−
制御部１２０は、第２搬送部８が紙幣Ｂを結束スタッカ４から第２位置まで搬送する間にテープ輪Ｌを作成する。図９に、テープ把持部９２１がテープＴの先端部を把持した状態の図を示す。図１０は、テープ把持部９２１が小テープ輪Ｌ１を作成した状態の図を示す。
【０１６０】
まず、送り出しローラ対９２０は、第１テープセンサ９２１０がテープＴの先端を検知するまでテープＴを引き戻す。テープＴの先端が検知されると、送り出しローラ対９２０がテープＴを送り出す。このとき、テープ把持部９２１は、可動部９２３とベース部９２２との間に隙間を空けた状態で且つその隙間に送り出しローラ対９２０から送り出されたテープＴが入り込む姿勢で待機している。テープＴの先端部が可動部９２３とベース部９２２との間に入り込むと、図９に示すように、可動部９２３とベース部９２２とでテープＴの先端部を把持する。可動部９２３は、ベース部９２２と共にテープＴの先端部を把持した状態でロックされる。テープＴの先端部は、略水平な状態でテープ把持部９２１に把持されている。
【０１６１】
次に、テープ把持部９２１は、図９に一点鎖線の矢印で示すように、テープＴの先端部を把持した状態で回転を始める。このとき、送り出しローラ対９２０によるテープＴの送り出しは継続している。テープ把持部９２１は、テープＴの先端を下方へ移動させるように、即ち、図９において反時計回りに回転する。
【０１６２】
テープ把持部９２１が略一回転すると、図１０に示すように、テープ輪Ｌが作成される。こうして、テープ把持部９２１が略一回転することにより作成されるテープ輪Ｌを「小テープ輪Ｌ１」と称する。テープ把持部９２１が把持するテープＴの先端部は、小テープ輪Ｌ１の上部に位置しており、小テープ輪Ｌ１は、テープ把持部９２１の下方に作成される。また、小テープ輪Ｌ１は、送り出しローラ対９２０よりも低い位置に作成されている。
【０１６３】
小テープ輪Ｌ１が形成されると、テープ把持部９２１の回転が停止する一方で、送り出しローラ対９２０によるテープＴの送り出しは継続される。その結果、小テープ輪Ｌ１は、図１０に一点鎖線の矢印で示すように、徐々に大きくなっていく。ここで、テープ把持部９２１が把持するテープＴの先端部は、小テープ輪Ｌ１の上部に位置し、送り出しローラ対９２０からのテープＴは小テープ輪Ｌ１の上部から供給されるので、小テープ輪Ｌ１は、下方へ膨らんでいく。テープ把持部９２１の下方にはガイド部９２５が配置されているので、テープ輪Ｌはやがてガイド部９２５と接触し、ガイド部９２５によりテープ輪Ｌの形状が規定される。最終的に送り出しローラ対９２０からのテープＴの送り出し量が所定量に達したときには、図１０に一点鎖線で示すように、ガイド部９２５により略長方形状に形成されたテープ輪Ｌが作成される。このテープ輪Ｌを「大テープ輪Ｌ２」と称する。大テープ輪Ｌ２は、下ガイド部９２６、第１側方ガイド部９２７及び第２側方ガイド部９２８に接触し、略長方形状に形成されている。それに加えて、大テープ輪Ｌ２は、第１〜第４コーナーガイド部９２９ａ〜９２９ｄに接触しており、これにより、角部が湾曲した長方形状に形成されている。
【０１６４】
尚、制御部１２０は、送り出しローラ対９２０からのテープＴの送り出し量が前記所定量になったときに第２テープセンサ９２１１がテープＴを検知していることをもって、大テープ輪Ｌ２が作成されたことを検知する。制御部１２０は、テープＴの送り出し量を、第１テープセンサ９２１０がテープＴの先端を検出してからの送り出しローラ対９２０のステッピングモータの駆動量に基づいて求める。送り出しローラ対９２０からのテープＴの送り出し量が前記所定量になったにもかかわらず、第２テープセンサ９２１１がテープＴを検知していないときには、テープ輪Ｌの一部が内側へ撓んで、テープ輪Ｌがガイド部９２５に沿った適切な形状（即ち、大テープ輪Ｌ２）になっていない可能性がある。そこで、制御部１２０は、送り出しローラ対９２０からのテープＴの送り出し量が前記所定量になったときに第２テープセンサ９２１１がテープＴを検知していないときには、テープＴを所定の引き戻し量だけ引き戻した後、再びテープＴを、全送り出し量が前記所定量になるまで送り出す。そして、制御部１２０は、第２テープセンサ９２１１がテープＴを検知するか否かを確認する。第２テープセンサ９２１１がテープＴを検知していない場合には、制御部１２０は、前述のテープＴの引き戻し及び送り出し並びにテープ検知の確認を繰り返す。
【０１６５】
第２テープセンサ９２１１は、第４コーナーガイド部９２９ｄに案内されるテープＴを検知するように構成されている。つまり、第２テープセンサ９２１１は、大テープ輪Ｌ２の中へ紙幣Ｂが搬送された場合に該紙幣Ｂよりも上方の所定の位置におけるテープＴの有無を検知する。テープ輪Ｌの一部が内側に撓むとすれば、テープＴの自重によりテープ輪Ｌの上部が撓む可能性が高い。つまり、第２テープセンサ９２１１を前述の位置に配置することによって、テープ輪Ｌの撓みを精度良く検知することができる。
【０１６６】
この大テープ輪Ｌ２の作成は、図７，８に示すように、第２搬送部８が紙幣Ｂを結束スタッカ４から結束部９まで搬送する処理と並行して行われる。通常は（即ち、大テープ輪Ｌ２が一度のテープＴの送り出しで作成された場合には）、紙幣Ｂが第２位置へ搬送されたときには大テープ輪Ｌ２の作成が完了している。
【０１６７】
−テープの巻き付け−
図１１に、紙幣Ｂの厚み方向を向いて見たときの、紙幣Ｂが大テープ輪Ｌ２へ搬送されて、紙幣ＢにテープＴが巻き付けられるまで各部の動作説明図を示す。図１１において、（Ａ）は、紙幣Ｂが大テープ輪Ｌ２へ搬送される直前の状態であり、（Ｂ）は、紙幣Ｂが大テープ輪Ｌ２へ搬送された状態であり、（Ｃ）は、紙幣ＢにテープＴが巻き付けられた状態である。図１２に、クランプ部９４が紙幣Ｂを押圧したときのガイド部９２５の状態を示す。
【０１６８】
第２搬送部８は、前述の如く、図７、８に示すように、紙幣Ｂを前記第２位置まで搬送した後（図１１（Ａ）参照）、該紙幣Ｂを第２水平方向へ移動させ、大テープ輪Ｌ２の中へ進入させる。第２搬送部８は、図１１（Ｂ）に示すように、紙幣Ｂを第２水平方向の所定の第３位置まで移動させる。この第３位置は、図例では、第２水平方向においてテープＴが紙幣Ｂの長手方向略中央に一致する位置である。
【０１６９】
紙幣Ｂが第３位置まで搬送されると共に、把持ユニット８１が、紙幣の結束予定部分（後の処理でテープＴが巻き付けられる部分）以外の部分を把持し直した後に、クランプ部９４が紙幣Ｂを集積方向へ、即ち、上下方向へ両側から押圧する。詳しくは、クランプ部９４の下クランプ部９４３，９４４が上方へ移動する。このとき、可動上クランプ部９４２は、クランプ位置に位置している。最終的に、下クランプ部９４３，９４４は紙幣Ｂを上クランプ部９４１，９４２へ押し付ける。上クランプ部９４１，９４２及び下クランプ部９４３，９４４は、紙幣Ｂの長手方向において、紙幣Ｂの結束予定部分の両側を上下方向から挟持する。こうして、紙幣Ｂは、上クランプ部９４１，９４２と下クランプ部９４３，９４４とで上下方向から圧縮される。上昇する下クランプ部９４３，９４４は、上クランプ部９４１，９４２及び下クランプ部９４３，９４４が紙幣Ｂを所定の厚みまで圧縮する位置で停止する。
【０１７０】
また、下クランプ部９４３，９４４は、下ガイド部９２６と一体的に構成されているので、下ガイド部９２６も下クランプ部９４３，９４４の上昇に伴って上方へ移動する。このとき、テープリールモータ９１１１及びテープ送りモータ９２１２を戻し方向に駆動することにより、下ガイド部９２６の上昇に連動して、テープＴを引き戻す。その結果、図１２に示すように、下ガイド部９２６の上昇に伴って、テープ輪Ｌが小さくなる。それに加えて、第２側方ガイド部９２８も、下ガイド部９２６の上昇に連動して上昇する。これにより、テープ輪Ｌが変形できるスペースを確保することができる。つまり、下ガイド部９２６の上昇が、テープ輪Ｌが小さくなる速度に対して速すぎる場合には、テープ輪Ｌがガイド部９２５からはみ出すように変形する。このとき、第２側方ガイド部９２８は、テープ輪Ｌの側方から退避しているので、テープ輪Ｌは、もともと第２側方ガイド部９２８が位置していたスペースの方へ膨らむことができる。これにより、テープＴが折れ曲がることを防止することができる。
【０１７１】
ここで、可動上クランプ部９４２の第１当接部９４２ａと第２当接部９４２ｂとの間には、第３当接部９４２ｃが設けられ、第３当接部９４２ｃは、第１及び第２当接部９４２ａ，９４２ｂよりも低い位置に位置している。また、固定上クランプ部９４１の第１当接部９４１ａと第２当接部９４１ｂとの間には、テープ把持部９２１のベース部９２２が配置され、ベース部９２２は、第１及び第２当接部９４１ａ，９４１ｂよりも低い位置に位置している。一方、下クランプ部９４３，９４４においては、第１当接部９４３ａと第２当接部９４３ｂとの間、及び、第１当接部９４４ａと第２当接部９４４ｂとの間には下方に窪んだスペースが形成されている。そのため、クランプ部９４により押圧された紙幣Ｂは、短手方向の略中央部が下方に凹んだ形状となっている。
【０１７２】
下ガイド部９２６の上昇は、下クランプ部９４３，９４４の上昇と共に停止する。一方、テープリールモータ９１１１及びテープ送りモータ９２１２によるテープＴの引き戻しは、下ガイド部９２６の上昇が停止した後も継続される。最終的に、図１１（Ｃ）に示すように、テープＴが紙幣Ｂに巻き付けられる。ここで、前述の如く、テープＴは、紙幣Ｂに巻き付けられる直前まで下ガイド部９２６により幅方向の位置が規制されている。そのため、テープＴは、紙幣の結束予定部分に正確に巻き付けられる。
【０１７３】
−テープの接合、切断及び押印−
続いて、ヒータ９５がテープＴ同士を接合すると共に、カッタ９６がテープＴを切断する。それに加えて、押印部９８がテープＴに押印する。図１３に、テープＴの接合、切断及び押印の説明図を示す。
【０１７４】
テープＴの紙幣Ｂへの巻き付けが完了すると、ヒータ９５とカッタ９６とは一緒に下降する。このとき、第１及び第２テープ押え９９１，９９２も、ヒータ９５及びカッタ９６と共に下降する。
【０１７５】
それによって、図１３に示すように、先ず第１テープ押え９９１がベース部９２２の第１凹溝９２２ｃに嵌まり、第１凹溝９２２ｃの底壁との間でテープＴを挟持する。それと共に、第２テープ押え９９２が、可動部９２３との間でテープＴを挟持する。このとき、ヒータ９５による溶着とカッタ９６による切断は行われていない。
【０１７６】
続いて、図示は省略するが、ヒータ９５は、テープＴの先端部と一周したテープＴとが重なり合った部分とをテープ把持部９２１のベース部９２２と共に挟み込む。詳しくは、ヒータ９５は、ベース部９２２のうち第１凹溝９２２ｃと第２凹溝９２２ｄとの間の部分でテープＴを挟持する。テープＴの片面には、熱により溶けると共に、冷却することにより固まる糊が塗布されており、ヒータ９５は、テープＴを挟持しつつ加熱することで、重なり合ったテープＴ同士を溶着させる。
【０１７７】
ヒータ９５による熱溶着と並行して、カッタ９６は、テープＴを切断する。カッタ９６は、テープＴのうち、ヒータ９５による溶着部分よりも上流側、即ち、溶着部分よりも送り出しローラ対９２０側の部分（以下、「余剰部分」という）を切断する。こうして、紙幣Ｂに巻き付けられたテープＴ同士が接合され、テープＴの余剰部分が切断される。
【０１７８】
ヒータ９５が、テープＴを所定時間だけ挟持して、重なり合ったテープＴ同士を熱溶着した後、ヒータ９５はテープＴから離れるが、テープＴを押さえる第１及び第２テープ押え９９１，９９２は、ヒータ９５がテープＴから離れた後も、テープＴの押さえを継続する。こうしてテープＴの熱溶着後、所定の冷却時間だけ、テープＴを押さえてテープＴの溶着部分に負荷が加わらないようにすることで、溶けた糊が確実に固まり、テープＴを確実に溶着することが可能になる。
【０１７９】
ここで、熱溶着後に要求される冷却時間は、ヒータ９５による加熱温度、テープＴの周囲温度、テープの種類等によって異なる。そのため、条件に拘わらず、テープＴが確実に溶着するように、冷却時間を予め十分に長くすることが考えられる。しかしながら、冷却時間を長くすることは、結束処理に要する時間が長くなってしまうという不都合がある。一方、冷却時間が短いと、テープＴの溶着が不十分になってテープＴが剥がれてしまう虞がある。
【０１８０】
そこで、この紙幣処理装置１００は、冷却時間を変更することが可能に構成されている。こうすることで、冷却時間を、紙幣処理装置１００の使用状況に応じて最適化し、テープＴの溶着を確実に行いつつも、冷却時間を可能な限り短くすることが可能になる。また、紙幣処理装置１００にセットされるテープＴの種類に応じて、冷却時間を最適化することも可能になる。
【０１８１】
冷却時間の設定は、オペレータが任意の時間に設定してもよい。また、紙幣処理装置１００が、冷却時間を自動的に最適化するようにしてもよい。例えば、ヒータ９５の加熱温度に応じて、その加熱温度と、テープＴの糊が凝固する温度との温度差に基づいて、予め設定された関数に従って冷却時間を自動的に設定するようにしてもよい（温度差が大きいほど、冷却時間は長くなる）。また、筐体１２内の温度、特にヒータ９５が配設箇所付近の温度を検知し、その温度に応じて冷却時間を設定してもよい。さらに、テープＴの種類に応じて、冷却時間を設定してもよい。紙幣処理装置１００において使用することが可能なテープＴの種類が複数存在するときに、各種類のテープＴに対応して冷却時間を予め設定しておいてもよい。その上で、紙幣処理装置１００にセットされたテープＴの種類に応じて、対応する冷却時間を設定してもよい。
【０１８２】
さらに、前述した様々な要因を複数組み合わせて、冷却時間を自動的に設定してもよい。
【０１８３】
また、紙幣処理装置１００が、自動的に設定した冷却時間を、オペレータが適宜補正することが可能にしてもよいし、逆に、オペレータが任意で設定した冷却時間を、紙幣処理装置１００が、自動的に補正するようにしてもよい。
【０１８４】
冷却時間の設定は、紙幣処理装置１００を設置するイニシャル時に設定し、それ以降は変更しない、としてもよいし、例えば定期的に（季節毎に）、冷却時間を変更してもよい。
【０１８５】
押印部９８は、ヒータ９５による溶着及びカッタ９６による切断と並行して、テープＴに押印を行う。押印部９８は、下ガイド部９２６と共に上昇しており、テープＴの溶着及び切断時には紙幣Ｂの直下に位置している。送り出しローラ対９２０によりテープＴを引き戻してテープＴを紙幣Ｂに巻き付けた後、押印部９８は、スタンプ９８１を上昇させる。スタンプ９８１は、紙幣Ｂに巻き付けられたテープＴに当接し、該テープＴに押印する。
【０１８６】
ここで、押印部９８は、テープＴの幅方向位置を規制する下ガイド部９２６と一体的に構成されているので、スタンプ９８１は、テープＴに対して位置決めされている。詳しくは、下ガイド部９２６の底壁９２６ｂの貫通孔９２６ｄを貫通し、側壁９２６ａ，９２６ａの間においてテープＴに押印する。紙幣Ｂの下面に巻き付けられたテープＴは、側壁９２６ａ，９２６ａによりテープ幅方向の位置が規制されているので、スタンプ９８１が、側壁９２６ａ，９２６ａの間を通って上昇した先にはテープＴが位置している。こうして、スタンプ９８１は、テープＴからはみ出すことなく押印する。
【０１８７】
また、テープＴの長手方向において、スタンプ９８１が押印する部分に印刷部９７により印字された文字又は符号が位置していたとしても、スタンプ９８１が押印する部分と印刷部９７が印字する部分とはテープ幅方向にずれているため、スタンプ９８１による印字と印刷部９７による印字とが重なり合うことはない。
【０１８８】
−紙幣の排出−
テープＴにより結束された結束紙幣Ｂは、第２搬送部８及び第３搬送部１０により投出部１１まで搬送される。つまり、詳細な図示は省略するが、テープＴの接合、切断及び押印が完了すると、把持ユニット８１が結束紙幣Ｂを把持する。続いて、下クランプ部９４３，９４４が下降して、クランプ部９４による押圧が解除される。それに加えて、可動上クランプ部９４２が上昇する。その後、第２搬送部８は、結束紙幣Ｂを第２水平方向へ、紙幣を大テープ輪Ｌ２へ搬送したときとは反対側へ所定量だけ搬送する。
【０１８９】
次に、把持ユニット８１は、結束紙幣Ｂの把持を解除する。代わりに、第３搬送部１０が結束紙幣Ｂを把持する。そうして、第３搬送部１０が、結束紙幣Ｂを第１水平方向へ投出部１１に向かって搬送する。最終的に、結束紙幣Ｂは、第３搬送部１０により投出部１１へ押し出される。
【０１９０】
投出部１１へ押し出された結束紙幣は、投出部１１を介して筐体１２の外部へ投出される。
【０１９１】
〈エラー発生時の再計数の要否判断〉
前述したように、入金処理では、ホッパ部２に載置された紙幣の内、結束対象の所定金種の紙幣でかつ、正券紙幣は、結束される。その結束処理の途中でエラーが発生し、紙幣処理装置１００の処理が中止したときに、筐体１２内に存在している紙幣については少なくとも、再計数が必要になる。ここでいう筐体１２内に存在している紙幣とは、筐体１２内の搬送路上に存在している紙幣（排出可能な紙幣についてはリジェクトスタッカ６に排出され、例えばジャム紙幣等の排出不可能な紙幣は、オペレータが筐体１２を開けて手で取り除く）、及び、結束スタッカ４及び非結束スタッカ５に集積されている紙幣を含む。
【０１９２】
一方、結束が終了して、投出部１１を介して筐体１２の外に投出された紙幣であって、その計数結果がデータベース１２０２に、仮確定として記憶された紙幣は、結束処理が完了した紙幣として再計数の対象とはならない（尚、取引は完了していないため、この紙幣の計数結果は、仮確定の状態である）。ここで、結束が終了して、筐体１２の外に投出されるタイミングと、計数結果がデータベース１２０２に、仮確定として記憶されるタイミングとは、必ずしも一致しておらず、計数結果がデータベース１２０２に記憶されるタイミングが、筐体１２の外に束が投出されるタイミングよりも遅れる場合がある。そのため、筐体１２の外に束が投出される前後のタイミングでエラーが発生したときに、筐体１２の外に投出された束が、再計数の対象であるのか、又は、再計数の対象でないのかが、オペレータが判断することができない場合がある。
【０１９３】
そこで、この紙幣処理装置１００では、エラーが発生したときに、再計数が必要な束を特定することが可能な情報を、タッチパネル１７及び／又は上位装置１０００に表示する。具体的には、再計数が必要な束を特定する情報として、テープＴに印字されている、金種、日時、連続番号等の識別記号をタッチパネル１７等に表示する。オペレータは、エラー発生により処理が停止した時点で投出されている束に印字されている識別記号と、タッチパネル１７等に表示されている情報とを照合することによって、再計数が必要な束を特定することが可能になる。尚、再計数が必要な束が存在しないときには、その旨をタッチパネル１７等に表示すればよい。
【０１９４】
尚、再計数が必要な束の識別記号を表示する代わりに、再計数が不要な束の識別記号をタッチパネル１７等に表示するようにしてもよい。これによっても、オペレータは、再計数が必要な束を特定することが可能になる。
【０１９５】
この構成によれば、紙幣処理装置１００によって処理をしている最中にエラーが発生したときに、再計数が必要な束を確実に特定することができ、再計数が必要な紙幣について再計数をしないこと、及び、再計数が不要な紙幣について再計数をしてしまうこと、がそれぞれ防止可能となり、違算の発生を未然に回避することが可能になる。
【０１９６】
〈落下検知センサにより落下を検知したときの復旧処理〉
前述の通り、結束部９の付近では、紙幣が落下してしまう可能性があり、結束部９の付近には紙幣の落下を検知する落下検知センサ９９が配設されている。落下検知センサ９９が紙幣の落下を検知したときには、紙幣処理装置１００は停止する。オペレータは紙幣処理装置１００の筐体１２を開けて、落下している紙幣を取り除く。これにより、違算の発生を未然に回避する。
【０１９７】
ところが、落下検知センサ９９は、紙幣が落下をしても死角になる場合があり、その場合、紙幣が落下をした時点では、その落下が検知されず、その後、ふとしたはずみで、落下検知センサ９９が、落下した紙幣を検出する場合がある。
【０１９８】
また、落下検知センサ９９が紙幣の落下を検知したため、オペレータが筐体１２から落下している紙幣を取り除いたものの、一部の紙幣が、落下検知センサ９９の死角となって残ったままになり、その後、ふとしたはずみで、落下検知センサ９９が、残された紙幣を検出する場合もある。
【０１９９】
これらの場合、紙幣が実際に落下をした時点と、落下検知センサ９９が落下を検知した時点とのずれが生じ、落下した紙幣は、いつ落下をしていたかを特定することができないという不都合がある。
【０２００】
そこで、この紙幣処理装置１００では、紙幣の落下を検知したときには、その落下紙幣がいつ処理されたのか、より具体的には、その落下紙幣が含まれるべき束（関連する束）を特定する。
【０２０１】
図１４は、落下検知センサ９９による落下を検知した後の、復旧処理の手順に係るフローチャートである。先ず、スタート後のステップＳ１では、取引が開始（計数及び結束処理が開始）される。前述したように、ホッパ部２に載置された紙幣が筐体１２内に取り込まれ、識別部３が識別をすると共に、記番号を取得する。結束対象の所定金種であって正券紙幣については、結束スタッカ４に搬送されると共に、所定枚数毎に結束処理が行われる。
【０２０２】
ステップＳ２では、落下検知センサ９９が紙幣の落下を検知したとする。続くステップＳ３では、紙幣処理装置１００が停止し、復旧処理が行われる。つまり、オペレータが、筐体１２を開けて、落下している紙幣を取り除く。紙幣処理装置１００のタッチパネル１７（及び／又は上位装置１０００）には、例えば図１５に示すような、再計数処理を促す画面が表示される。オペレータは、筐体１２から取り除いた紙幣を、ホッパ部２に載置し、タッチパネル１７等において、処理を開始するための操作を行う。筐体１２から取り除いた紙幣には、筐体１２内で落下していた紙幣の他にも、結束途中の紙幣や、搬送路上の紙幣であって、リジェクトスタッカ６に集積された紙幣、さらには、前述したように、結束して投出されたものの再計数が必要な束に含まれている紙幣等が含まれる。
【０２０３】
再計数を開始すると、ステップＳ４において、ホッパ部２に載置された紙幣が、再び筐体１２内に取り込まれて、再計数が行われる。これにより、各紙幣の記番号が再び取得される。再計数を開始することによって、落下検知センサ９９が紙幣の落下を検知して紙幣処理装置１００が停止をしたときに行っていた処理（つまり、取引）はキャンセルされ、再計数によって当該処理がもう一度行われることになる。
【０２０４】
一方、図１５に示す画面には、キャンセルボタンが設けられている。キャンセルボタンを選択操作したときには、再計数を行うことなく、エラー復旧処理が終了する。これは、筐体１２内に落下した紙幣が存在しないにも拘わらず、落下検知センサ９９が誤検知をして、紙幣処理装置１００がエラー停止をしたときに、オペレータが選択をするボタンである。オペレータが、図１５に示す画面においてキャンセルボタンを押したときには、落下検知センサ９９が紙幣の落下を検知して紙幣処理装置１００が停止をしたときに行っていた処理はキャンセルされない。紙幣が落下しておらず、処理をもう一度行う必要がないためである。
【０２０５】
このように、この紙幣処理装置１００では、落下検知センサ９９が紙幣の落下を検知したときに行っていた処理に係る取引をキャンセルするか、又は、取引を継続するかを、選択可能にオペレータに提示するよう構成されている。この構成は、落下検知センサ９９の誤検知を考慮しており、不要な復旧作業を省略し得る点で、ユーザの利便性が高まる。
【０２０６】
ステップＳ４における再計数時に、全ての紙幣について識別部３が記番号を読み取って、再計数が正常に終了したときには、フローはステップＳ５に移行する。一方、ステップＳ４における再計数時に、識別部３が記番号の読み取ることができない紙幣が発生したときには、当該紙幣はリジェクトスタッカ６に搬送される。記番号の読み取りができない紙幣が発生したときには、オペレータに、当該紙幣の記番号を手入力するよう促す画面が、タッチパネル１７等に表示される。図１６は、記番号の手入力画面の例示である。この例では、リジェクトスタッカ６に搬送された枚数分だけ、記番号の入力欄が設けられている。複数枚の紙幣の記番号をまとめて入力するのではなく、紙幣一枚ずつ記番号を入力するようにしてもよい。オペレータは、手元にある紙幣の記番号を見て、画面上の各欄に記番号を入力する。オペレータは、記番号の入力が完了した後、完了ボタンを押すことになる。
【０２０７】
完了ボタンを押すことによって、タッチパネル１７には、例えば図１７に示すような、「確定」と「キャンセル」とを選択可能な画面が表示される。オペレータが「確定」を選択したときには、手入力した記番号が確定し、再計数に係る紙幣全ての記番号が、識別部３により、又は、手入力により取得されることになる。フローは、ステップＳ５に移行する。記番号の手入力を可能にすることで、紙幣処理装置１００は、記番号の認識ができない紙幣の、正確な記番号を取得することができる。
【０２０８】
一方、オペレータが「キャンセル」を選択したときには、図１６に示す画面において手入力した記番号の一部又は全部の入力をキャンセルすることが可能になる。タッチパネル１７等には、例えば図１８に示す画面が表示される。この例では手入力をした記番号が表示されると共に、記番号毎にチェックボックスが設けられており、入力をキャンセルする記番号については、チェックを外すよう構成されている。オペレータが当該画面において、必要に応じてチェックを外した後、完了ボタンを押せば、図１７に示す画面に戻ることになる。
【０２０９】
尚、図１６に示す記番号の手入力画面において、一部又は全部の欄を空欄のままで、完了操作を行うようにしてもよい。これは、オペレータが、一部又は全部の紙幣について、記番号の手入力を行わないことになる。このように、図１６又は図１８に示す画面において、必要に応じて、記番号手入力をキャンセル可能にすることで、エラーの復旧をスムースに完了することが可能になる。
【０２１０】
ステップＳ５では、ステップＳ４の再計数で取得した紙幣の内、結束対象の所定金種であって正券紙幣の記番号が、エラー停止時に処理中であった（つまり、結束部９の付近において結束途中であった）紙幣の中に含まれているか否かを、データベース１２０２を参照することによって、判断する。ここでは、データベース１２０２に記憶されている、仮確定前の情報を参照する。落下検知センサ９９による紙幣の検知は、紙幣が落下したときに行われる可能性が最も高いためである。ステップＳ５の判定がＹＥＳのときには、ステップＳ６に移行して、落下した紙幣は、エラー停止時に結束途中であった紙幣の中に含まれると特定する。この場合、エラー停止時に行っていた結束処理を中止し、再計数を促す。
【０２１１】
ここで、ステップＳ６では、再取得した紙幣の記番号と、データベース１２０２に記憶されている、結束途中の紙幣の記番号とを照合し、再取得した紙幣の記番号が、過不足無く、データベース１２０２に記憶されている記番号と一致するか否かを判定してもよい。こうすることで、エラー発生時に作成途中であった束と同一の束を作成することが可能になる。また、再計数を行う際に、筐体１２から取り除いた紙幣以外の紙幣を、誤ってホッパ部２に載置してしまったときでも、そのことを検出することが可能になる。これは違算の発生を未然に回避する。
【０２１２】
一方、ステップＳ５の判定がＮＯのとき、つまり、再取得した紙幣の中に、エラー発生時に作成途中であった束に含まれない紙幣が存在しているときには、ステップＳ７に移行する。これは、落下していた紙幣は、過去に行った処理の途中で、落下をしていた可能性がある。そこでステップＳ７では、データベース１２０２又は上位装置１０００に記憶されている過去の処理データを参照して、再取得した紙幣の記番号が存在するかを検索する。過去の処理データには、データベース１２０２に記憶されている仮確定のデータも含まれる。ここで、検索を行う範囲は、これまでに当該紙幣処理装置１００が処理を行った全範囲としてもよいが、例えば、落下検知センサ９９が検知をした当日に処理をした範囲に限定してもよいし、過去１週間や、過去１ヶ月の範囲といった、所定日以降の範囲に限定してもよい。検索範囲は、予め設定により決めておいてもよいし、検索を行うときに、オペレータが検索範囲を指定するようにしてもよい。
【０２１３】
続くステップＳ８において、データベース１２０２又は上位装置１０００に記憶されている過去の処理データの中に、再取得した紙幣の記番号が存在するか否かを判定する。存在しているとき（つまり、ＹＥＳのとき）にはステップＳ９に移行する。一方、存在していないとき（つまり、ＮＯのとき）には、ステップＳ１２に移行する。ステップＳ１２では、ステップＳ７における検索の範囲外であり、当該紙幣の処理を行った時期を特定することができないため、管理外紙幣として別途管理をし、エラーの復旧を終了する。
【０２１４】
ステップＳ９では、落下していた紙幣を処理した時期、つまり、落下していた紙幣を含む束を作成した過去の取引を特定することができる。そのときに作成された束には、実際には、当該紙幣が含まれていないことになる。そこで、ステップＳ１０において、データベース１２０２及び／又は上位装置１０００に記憶されている、当該束に係る計数結果を削除するか否かを問い合わせる画面を、タッチパネル１７等に表示する（図示省略）。オペレータが計数結果を削除することを選択したときには、ステップＳ１１に移行して、データベース１２０２及び／又は上位装置１０００に記憶されている当該計数結果を削除する（又は、確定していた計数結果を、未確定に変更してもよい。未確定に変更することはキャンセルと等価である）。データベース１２０２及び上位装置１０００には、作成した束と、その束に含まれる紙幣の記番号とが対応づけて記憶されているため、ステップＳ１１で削除する計数結果は、１つの束単位で削除することが可能である。つまり、データベース１２０２等に記憶されている、確定した計数結果から削除する計数結果を最小限の範囲にすることが可能である。ステップＳ１１で計数結果を削除することによってエラー復旧が完了する。一方、オペレータが計数結果を削除しないことを選択したときには、ステップＳ１１に移行することなく、そのまま、エラーの復旧を終了する。
【０２１５】
ここで、ステップＳ７における検索の際には、所定のルールに従った曖昧照合を行うようにしてもよい。この曖昧照合は、データベース１２０２等から記番号が抽出される確率を高め、それによって、落下していた紙幣が取り扱われた取引を、特定し易くする。曖昧照合は、例えば記番号における所定の桁をマスクして照合する、としてもよい。また、記番号の前方一致、後方一致、又は部分一致により照合をする、としてもよい。また、紙幣の記番号を認識するときに、全桁を認識すること以外に、所定桁数以上の認識を許容した上で、照合を行ってもよい。記番号の認識を曖昧にすることもまた、曖昧照合に含まれる。曖昧照合の結果、複数の記番号（つまり、複数の取引）が抽出されたときには、それら複数の記番号をタッチパネル１７等に表示して、オペレータが所望の記番号を選択可能にしてもよい。
【０２１６】
以上説明したように、この紙幣処理装置１００では、落下検知センサ９９が紙幣の落下を検知したときには、落下していた紙幣を含む、筐体１２から取り除いた紙幣について記番号を再取得すると共に、その再取得した記番号と、データベース１２０２等に記憶している記番号とを照合することにより、取り除いた紙幣に関連する束、つまり、当該紙幣が含まれるべき束を特定することが可能になる。落下検知センサ９９が紙幣の落下を検知するタイミングと、紙幣が実際に落下したタイミングとがずれる場合があるが、落下していた紙幣が関連する束を正確に特定することができるため、適切な復旧が可能になる。
【０２１７】
尚、こうした復旧手順は、落下検知センサ９９が紙幣の落下を検知したときの復旧に限らず、その他のエラーが発生した際の復旧時にも、適用が可能である。
【０２１８】
〈リジェクト要因の管理〉
前述したように、入金取引に係る処理では、ホッパ部２に載置された紙幣が筐体１２内に取り込まれて、紙幣の識別等が行われる。その際に、斜行や連鎖といった搬送異常によってリジェクトされる紙幣や、正損判定が異常である等の、搬送異常ではなく紙幣そのものの要因によってリジェクトされる紙幣が発生する場合がある。リジェクトされる紙幣は、リジェクトスタッカ６に搬送され、リジェクト紙幣の取込及び識別が再度行われる。前述した例では、リジェクト紙幣の取込及び識別を再度行い、それでも尚、リジェクト紙幣と識別された紙幣については、さらなる取込及び識別を行わずに、顧客に返却するとしている。しかしながら、紙幣処理装置１００の運用としては、リジェクト紙幣が発生する毎に、取込及び識別を、何回でも繰り返すことも可能である。
【０２１９】
各種のリジェクト要因のうち、搬送異常は、紙幣そのものに原因があるのではなく、その搬送状態に原因があるため、搬送状態を変えることによって、リジェクト紙幣と識別されなくなる可能性がある。これに対し、正損判定異常や偽券等のリジェクト要因は、紙幣そのものに原因があるため、取込及び識別を何度行っても、リジェクト紙幣と識別される可能性が高い。こうした紙幣について、取込及び識別を繰り返すことは無駄な作業であるが、オペレータは、リジェクト紙幣が発生したときに、そのリジェクト要因を認識することができないため、リジェクト紙幣の取込及び識別を繰り返してしまうことにもなる。
【０２２０】
そこで、この紙幣処理装置１００では、各紙幣の記番号を読み取っていることを利用して、リジェクト紙幣については、その記番号とリジェクト要因とを対応づけてデータベース１２０２に記憶すると共に、そのリジェクト判定回数をカウントするようにしている。この機能について、図１９、２０を参照しながら説明する。
【０２２１】
図１９は、紙幣処理装置１００に取り込まれた紙幣がリジェクト紙幣であると識別され、複数回の取込及び識別が行われる例を示している。ここでは、記番号１、２、３の３枚の紙幣が紙幣処理装置１００に取り込まれると共に、それぞれがリジェクト紙幣であると識別される。具体的に、１回目の取込時には、記番号１の紙幣は、斜行であるとしてリジェクト紙幣と識別され（つまり、搬送異常紙幣）、記番号２の紙幣は、それを集積するスタッカが満杯であるため、リジェクト紙幣と識別され（つまり、指定外紙幣）、記番号３の紙幣は、正損判定異常であるとしてリジェクト紙幣と識別される（つまり、異常紙幣）。
【０２２２】
制御部１２０は、紙幣の記番号と、そのリジェクト要因とを対応づけて、データベース１２０２のリジェクト管理部（データベース１２０２における、予め定められた記憶領域）に記憶する。リジェクト管理部には、図２０に示すように、記番号１の紙幣について、リジェクト要因としての「斜行」が対応づけられ、記番号２の紙幣について、「スタッカフル」が対応づけられ、記番号３の紙幣について、「正損判定異常」が対応づけられて記憶される。また、各リジェクト要因についてカウンタが設けられ、１回目の取込が終了した時点では、各カウンタは１となっている。
【０２２３】
次に、２回目の取込時には、図１９に示すように、記番号１の紙幣は、斜行であるとしてリジェクト紙幣と識別され、記番号２の紙幣は、スタッカフルであるとしてリジェクト紙幣と識別される。制御部１２０は、２回目の取込が終了した時点で、図２０に示すように、データベース１２０２のリジェクト管理部に、記番号１の紙幣について、斜行のカウンタを＋１にして、２とし、記番号２の紙幣について、スタッカフルのカウンタを＋１にして、２とする。
【０２２４】
次に、３回目の取込時には、図１９に示すように、記番号１の紙幣は、連鎖であるとしてリジェクト紙幣と識別される。つまり、記番号１の紙幣については、リジェクト紙幣と識別される点は同じであるものの、そのリジェクト要因が異なる。また、記番号３の紙幣は、斜行であるとしてリジェクト紙幣と識別される。記番号３の紙幣についても、リジェクト紙幣と識別される点は同じであるものの、リジェクト要因が異なる。制御部１２０は、３回目の取込が終了した時点で、図２０に示すように、データベース１２０２のリジェクト管理部に、記番号１の紙幣について、連鎖のリジェクト要因を新たに対応づけて記憶し、そのカウンタを１とし、記番号３の紙幣について、斜行のリジェクト要因を新たに対応づけて記憶し、そのカウンタを１とする。このように、同じ記番号の紙幣であっても、リジェクト要因が異なるときには、別の要因であるとして、個別にカウントを行う。
【０２２５】
次に、４回目の取込時には、図１９に示すように、記番号１の紙幣は、再び斜行であるとしてリジェクト紙幣と識別される。制御部１２０は、４回目の取込が終了した時点で、図２０に示すように、データベース１２０２のリジェクト管理部に、記番号１の紙幣について、斜行のリジェクト要因のカウンタを＋１にし、カウンタを３にする。
【０２２６】
紙幣処理装置１００は、リジェクト管理部のカウンタに基づいて、そのカウンタが予め設定した回数に到達したときには、タッチパネル１７に、紙幣の記番号とそのリジェクト要因とを表示するようにしてもよい。図２０の例で、予め設定した回数を３としたときには、記番号１の紙幣が、斜行によるリジェクトを繰り返していることを、タッチパネル１７及び／又は上位装置１０００に表示する。こうすることでオペレータは、リジェクト要因が搬送異常に係り、搬送の状態によっては、リジェクト紙幣とならない可能性があることを認識することができる。オペレータは、当該紙幣を取り込むときの姿勢を変える等して、リジェクト紙幣とならないようにする対策をとるが可能になる。
【０２２７】
一方、リジェクト要因が搬送異常ではなく、例えば偽券等であることがタッチパネル１７に表示されたときには、オペレータは、当該紙幣の取込を繰り返しても、リジェクト紙幣と判断される可能性が高いことを認識可能になる。そのためオペレータは、再度の取込を取りやめる等の対応をとることが可能になる。
【０２２８】
リジェクト要因が紙幣そのものに起因しており、紙幣の取込を繰り返しても、リジェクト紙幣となる可能性が高いとオペレータが判断したときに、当該紙幣についてリジェクト紙幣となる可能性が高いことを、データベース１２０２に別途登録する（つまり、オペレータが手入力によって登録する）ようにしてもよい。こうして別途登録された紙幣が再度取り込まれたときには、リジェクト管理部のカウンタが所定回数とならずとも、タッチパネル１７等に、その旨を表示するようにすればよい。こうすることで、リジェクト紙幣の取込を繰り返してしまうことが未然に回避される。
【０２２９】
さらに、データベース１２０２のリジェクト管理部は、所定容量となるように定めておき、そこに記憶する情報量を制限してもよい。この場合、記憶容量を超えるときには、古い情報を削除しながら、新しい情報を、随時記憶するようにすればよい。
【０２３０】
また、リジェクト管理部の情報は、１つの取引内において有効とし、新たな取引のときには、リセットするようにしてもよいし、リジェクト管理部の情報を保持しておき、異なる取引においても有効としてもよい。また、リジェクト管理部の情報を、１つの取引内においてのみ有効とするか、又は、複数の取引にまたがって有効とするかを、オペレータが選択可能にしてもよい。
【０２３１】
また、前述したように、データベース１２０２に別途登録するリジェクト紙幣の情報は、
複数の取引にまたがって有効とすることが望ましいが、その登録のタイミングは、いつでも可能にしてもよい。ある記番号の紙幣について、あるリジェクト要因のカウンタが所定回数となって、その旨が、タッチパネル１７等に表示されたタイミングで、当該記番号の紙幣をデータベース１２０２に登録可能とするだけでなく、取引が終了した後に、リジェクト管理部のデータを参照した上で、データベース１２０２への登録を、後から行うようにしてもよい。
【０２３２】
〈損券の未然回収機能〉
紙幣処理装置１００の利用環境下によっては、同じ紙幣が繰り返し、紙幣処理装置１００で処理されることも起こり得る（例えば、限定された範囲で、紙幣を繰り返し使用するような環境下）。その場合、紙幣が何度も紙幣処理装置１００内を通過することから、紙幣が傷みやすくなる。紙幣が傷んだときには、識別部３において損券と判断されなくても、ジャムの発生等のトラブルが生じる虞がある。この紙幣処理装置１００は、前述の通り、処理時に取り込んだ紙幣の記番号を読み取ると共に、計数結果と共に、記番号をデータベース１２０２又は上位装置１０００に記憶している。そこで、データベース１２０２等に記憶している記番号に基づいて、同じ紙幣が繰り返し、当該紙幣処理装置１００を通過している（処理している）ことが判断可能である。この紙幣処理装置１００では、取り込んだ紙幣の記番号を読み取ったときに、データベース１２０２等に記憶している、過去の処理の記番号と照合をし、同じ記番号があったときには、当該紙幣の処理回数をカウントアップするように構成されている。こうすることで、同じ紙幣が、紙幣処理装置１００に処理された回数を把握することができる。
【０２３３】
また、処理回数の上限を予め設定しておき、所定回数以上の処理が行われたと判断したときには、当該紙幣は、識別部３において正券と判定されたときでも、損券と実質的に同一であるとして、損券として集積する、又は、リジェクト紙幣として集積するようにしてもよい。その場合、タッチパネル１７等に、その旨を表示することで、オペレータの注意を喚起するようにしてもよい。また、予め設定する前記処理回数の上限は、同じ紙幣が所定の期間内に処理される処理回数の上限として、設定するようにしてもよい。
【０２３４】
こうして、損券となる前に紙幣の状態を把握して、損券となりそうな紙幣を区別することで、紙幣処理装置１００のトラブル（例えばジャムの発生等）を回避することが可能になる。
【０２３５】
尚、ここに開示する技術は、紙幣処理装置に限らず、小切手や商品券等の紙葉類を処理する紙葉類処理装置に広く適用することが可能である。
【符号の説明】
【０２３６】
１２  筐体
１００  紙幣処理装置
１２０  制御部（復旧部）
１０００  上位装置（記憶部）
１２０２  データベース（記憶部）
３  識別部
４  結束スタッカ（集積結束部）
９  結束部（処理部、集積結束部）
９９  落下検知センサ
Ｂ  紙幣（紙葉類）
【図１】
2015172793.tif 000003
【図２】
2015172793.tif 000004
【図３】
2015172793.tif 000005
【図４】
2015172793.tif 000006
【図５】
2015172793.tif 000007
【図６】
2015172793.tif 000008
【図７】
2015172793.tif 000009
【図８】
2015172793.tif 000010
【図９】
2015172793.tif 000011
【図１０】
2015172793.tif 000012
【図１１】
2015172793.tif 000013
【図１２】
2015172793.tif 000014
【図１３】
2015172793.tif 000015
【図１４】
2015172793.tif 000016
【図１５】
2015172793.tif 000017
【図１６】
2015172793.tif 000018
【図１７】
2015172793.tif 000019
【図１８】
2015172793.tif 000020
【図１９】
2015172793.tif 000021
【図２０】
2015172793.tif 000022